(57)【要約】  スポーツ引き合わせシステムは、見知らぬ人々（２０２）の間におけるスポーツ・イベントおよび非スポーツ・イベントの手配のための改善された方法を提供する。特定のスポーツまたは社交イベントへの参加を公に提案している人々（６１２）と類似のスポーツまたは社交イベントへの参加を希望している人々を引き合わせるシステム（３００）が提供される。またこのシステムは、イベントを遂行するために提案する当事者と受け入れる当事者の間における連絡のための多様な手段を提供する。またこのシステムは、スポーツおよび社交イベント用のイベント開催場所を手配するための方法（６０５）も提供する。さらにこのシステムは、ユーザを商的スポンサーに結びつけるための手段（６１４）も提供する。
2009505240.tif 000002
【特許請求の範囲】
【請求項１】
少なくとも１個の第２の参加者による少なくとも１個の第１の参加者の参加者個人プロファイル情報の表示を援助するための少なくとも１つの提案合同イベントを見つけることに関係するインターネット・コンピュータ・システム用のコンピュータ・プログラム・システムであって、
（ａ）提案イベント情報をサーチ可能にストアするステップであって、前記提案イベント情報が、少なくとも、
（ｉ）少なくとも１つのタイプの提案合同イベント、
（ｉｉ）前記提案合同イベントのための少なくとも１つの提案地理的エリア、および
（ｉｉｉ）前記少なくとも１つの提案合同イベントのための少なくとも１つの提案時間評価基準、
を包含する、ステップと、
（ｂ）前記少なくとも１つの提案合同イベントについて前記少なくとも１個の第１の参加者のために入力を可能にするステップと、
（ｃ）前記参加者個人プロファイル情報をサーチ可能にストアするステップであって、前記参加者個人プロファイル情報が、少なくとも、
（ｉ）少なくとも１つの一意的な識別子、
（ｉｉ）前記少なくとも１つのタイプの前記提案合同イベント、
（ｉｉｉ）前記少なくとも１つのタイプの提案合同イベントの少なくとも１つの第１の習熟レベルの事物、
（ｉｖ）人口学的情報、および
（ｖ）連絡情報、
を包含する、ステップと、
（ｄ）前記少なくとも１個の第１の参加者の前記参加者個人プロファイル情報のために入力を可能にするステップと、
（ｅ）前記入力された提案合同イベントと前記入力された参加者個人プロファイル情報を関連させることを可能にするステップと、
（ｆ）前記少なくとも１つの提案合同イベントの提案される整合のための前記少なくとも１個の第２の参加者の第１のサーチ可能な評価基準のために入力を可能にするステップと、
（ｇ）コンピュータ・データベースから前記第１のサーチ可能な評価基準に整合する前記ストアされた提案イベント情報を検索するステップと、
（ｈ）前記検索された提案イベント情報に関連付けされる前記入力された参加者プロファイル情報を表示するステップと、
を包含する、コンピュータ・プログラム・システム。
【請求項２】
前記少なくとも１つのタイプの提案合同イベントは、少なくとも１つのスポーツ・イベントを包含する、請求項１に記載のコンピュータ・プログラム・システム。
【請求項３】
前記少なくとも１個の第１の参加者および前記少なくとも１個の第２の参加者のうちの少なくとも１個は少なくとも１個のチームを構成する、請求項２に記載のコンピュータ・プログラム・システム。
【請求項４】
前記少なくとも１個の第１の参加者および前記少なくとも１個の第２の参加者のうちの少なくとも１個は少なくとも１個のカップルを構成する、請求項２に記載のコンピュータ・プログラム・システム。
【請求項５】
さらに、
（ａ）前記少なくとも１個の第１の参加者のために、前記少なくとも１つのタイプの提案合同イベントの少なくとも１つの第１の習熟レベルの入力を可能にするステップと、
（ｂ）前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にするステップと、
（ｃ）前記コンピュータ・データベースから前記第２のサーチ可能な評価基準に整合する前記提案イベント情報を検索するステップと、
（ｄ）前記検索された提案イベント情報に関連付けされる前記入力された参加者プロファイル情報を表示するステップと、
を包含する請求項２に記載のコンピュータ・プログラム・システム。
【請求項６】
さらに、前記少なくとも１個の第１の参加者のために前記コンピュータ・データベースから前記提案イベント情報を検索するステップを包含する、請求項２に記載のコンピュータ・プログラム・システム。
【請求項７】
さらに、
（ａ）前記個人プロファイル情報の提案される整合のための前記少なくとも１個の第２の参加者の少なくとも１つの第３のサーチ可能な評価基準のために入力を可能にするステップと、
（ｂ）前記コンピュータ・データベースから前記第３のサーチ可能な評価基準に整合する前記個人プロファイル情報を検索するステップと、
を包含する請求項２に記載のコンピュータ・プログラム・システム。
【請求項８】
前記個人プロファイル情報は、さらに、
（ａ）子供の情報、
（ｂ）参加者の背景情報、
（ｃ）個人的特徴の情報、
（ｄ）好きな食べ物の情報、
（ｅ）好みの音楽の情報、および
（ｆ）少なくとも１つの画像、
のうちの少なくとも２つを包含する、請求項７に記載のコンピュータ・プログラム・システム。
【請求項９】
さらに、
（ａ）少なくとも１つの掲示板投稿をサーチ可能にストアするステップと、
（ｂ）前記少なくとも１つの掲示板投稿について前記少なくとも１個の第１の参加者のために入力を可能にするステップと、
（ｃ）前記少なくとも１つの前記掲示板投稿と前記少なくとも１個の第１の参加者を関連させるステップと、
（ｄ）前記個人プロファイル情報との提案される整合のための前記少なくとも１個の第２の参加者の少なくとも１つの第４のサーチ可能な評価基準のために入力を可能にするステップと、
（ｅ）前記第４のサーチ可能な評価基準に整合する前記個人プロファイル情報に関連付けされた前記少なくとも１つの掲示板投稿を検索するステップと、
を包含する請求項２に記載のコンピュータ・プログラム・システム。
【請求項１０】
前記第４のサーチ可能な評価基準は、
（ａ）少なくとも１つのタイプの提案合同イベントと、
（ｂ）前記提案合同イベントのための少なくとも１つの提案地理的エリアと、
（ｃ）前記少なくとも１つの提案合同イベントのための少なくとも１つの提案時間評価基準と、
を包含する請求項９に記載のコンピュータ・プログラム・システム。
【請求項１１】
さらに、前記少なくとも１個の第２の参加者の前記少なくとも１個の第１の参加者との連絡を援助するステップを包含する、請求項１に記載のコンピュータ・プログラム・システム。
【請求項１２】
前記少なくとも１個の第２の参加者の前記少なくとも１個の第１の参加者との連絡を援助する前記ステップは、
（ａ）前記第２の参加者に対する前記第１の参加者の第１の連絡情報の非開示を援助するステップと、
（ｂ）前記第１の参加者に対する前記第２の参加者の第２の連絡情報の非開示を援助するステップと、
を包含する請求項１１に記載のコンピュータ・プログラム・システム。
【請求項１３】
前記少なくとも１個の第２の参加者の前記少なくとも１個の第１の参加者との連絡を援助する前記ステップは、ディジタル携帯電話上のテキスト・メッセージングを用いて達成される、請求項１２に記載のコンピュータ・プログラム・システム。
【請求項１４】
インターネット・ウェブ・サイトを利用するビジネスを行うことに関係するシステムであって、
（ａ）提案スポーツ・イベント情報を含むべく適合された少なくとも１つの第１のサーチ可能なデータベースを提供するステップと、
（ｂ）少なくとも１個の第１の参加者から前記提案スポーツ・イベント情報を受け取るステップと、
（ｃ）参加者個人プロファイル情報を含むべく適合された少なくとも１つの第２のサーチ可能なデータベースを提供するステップと、
（ｄ）前記少なくとも１個の第１の参加者から前記参加者個人プロファイル情報を受け取るステップと、
（ｅ）少なくとも１個の第２の参加者が、前記少なくとも１つの第１のサーチ可能なデータベースをサーチすることに関係づけられた第１のサーチ可能な評価基準を記述することを可能にするステップと、
（ｆ）前記第１のサーチ可能な評価基準が、少なくとも、
（ｉ）少なくとも１つのタイプの提案スポーツ・イベント、
（ｉｉ）前記少なくとも１つの提案スポーツ・イベントに関係づけられた少なくとも１つの提案地理的エリア、および
（ｉｉｉ）前記少なくとも１つの提案スポーツ・イベントに関係づけられた少なくとも１つの提案時間枠、を包含し、
（ｇ）前記第１のサーチ評価基準に整合する前記提案スポーツ・イベント情報を検索するステップと、
（ｈ）前記少なくとも１個の第２の参加者に、前記少なくとも１個の第１の参加者からの前記参加者個人プロファイル情報を呈示するステップと、
を包含するシステム。
【請求項１５】
さらに、ウェブ・サイト広告収益を受け取るステップを包含する、請求項１４に記載のシステム。
【請求項１６】
前記ウェブ・サイト広告収益を受け取るステップは、
（ａ）少なくとも１個の広告主に対してウェブ・サイト広告を提案するステップと、
（ｂ）前記少なくとも１個の広告主から少なくとも１つのウェブ・サイト広告を受け取るステップと、
（ｃ）前記少なくとも１個の広告主から支払いを受け取るステップと、
（ｄ）前記支払いを受け取るステップの後、前記少なくとも１つのウェブ・サイト広告を承認するステップと、
（ｅ）前記承認した前記少なくとも１つのウェブ・サイト広告を表示するステップと、
を包含する請求項１５に記載のシステム。
【請求項１７】
さらに、前記少なくとも１個の第１の参加者および前記少なくとも１個の第２の参加者のうちの少なくとも１個が前記少なくとも１個の広告主に対する少なくとも１つのリンクを選択することを可能にするステップを包含する、請求項１６に記載のシステム。
【請求項１８】
前記少なくとも１個の広告主は、少なくとも１つのスポーツ開催場所を包含する、請求項１６に記載のシステム。
【請求項１９】
さらに、会費を受け取るステップを包含する、請求項１４に記載のシステム。
【請求項２０】
前記会費を受け取るステップは、前記少なくとも１個の第１の参加者および前記少なくとも１個の第２の参加者のうちの少なくとも１個からの支払いを受け取るステップを包含する、請求項１９に記載のシステム。
【請求項２１】
さらに、
（ａ）前記少なくとも１個の第１の参加者および前記少なくとも１個の第２の参加者のうちの少なくとも１個に対して販売するために少なくとも１つの製品を提案するステップと、
（ｂ）前記少なくとも１個の第１の参加者および前記少なくとも１個の第２の参加者のうちの少なくとも１個からの支払いを受け取るステップと、
を包含する、請求項１４に記載のシステム。
【請求項２２】
さらに、
（ａ）少なくとも１個のイベント提供者とともに前記少なくとも１個の第１の参加者および前記少なくとも１個の第２の参加者のうちの少なくとも１個のために少なくとも１つのグループ・イベントを促進するステップと、
（ｂ）それぞれの参加する、前記少なくとも１個の第１の参加者および前記少なくとも１個の第２の参加者のうちの少なくとも１個に少なくとも１つの料金を課するステップと、
（ｃ）前記少なくとも１個のイベント提供者に支払うステップと、
を包含する、請求項１４に記載のシステム。
【請求項２３】
さらに、
（ａ）前記少なくとも１個の第１の参加者および前記少なくとも１個の第２の参加者のうちの少なくとも１個が、前記少なくとも１個の旅行提供者に対する少なくとも１つのリンクを選択することを可能にするステップと、
（ｂ）前記少なくとも１個の旅行提供者から紹介料を受け取るステップと、
を包含する、請求項１４に記載のシステム。
【請求項２４】
さらに、
（ａ）少なくとも１個の実際のテレビジョン番組提供者とともに少なくとも１つの実際のテレビジョン番組を促進するステップと、
（ｂ）前記少なくとも１個の第１の参加者および前記少なくとも１個の第２の参加者のうちの少なくとも１個から前記少なくとも１つの実際のテレビジョン番組に参加する少なくとも１つの提案を受け入れるステップと、
を包含する、請求項１４に記載のシステム。
【請求項２５】
さらに、前記少なくとも１個の第１の参加者および前記少なくとも１個の第２の参加者の間における連絡を援助するステップを包含する、請求項１４に記載のシステム。
【請求項２６】
さらに、少なくとも１つのアフィリエイトに少なくとも１個の新しい参加者の紹介のための支払いを提案するステップを包含する、請求項１４に記載のシステム。
【請求項２７】
さらに、
（ａ）前記少なくとも１個の第２の参加者が、前記少なくとも１つの第２のサーチ可能なデータベースをサーチすることに関係づけられた第２のサーチ可能な評価基準を記述することを可能にするステップと、
（ｂ）前記少なくとも１個の第２の参加者が、前記第２のサーチ評価基準に整合する前記個人プロファイル情報を見ることを可能にするステップと、
を包含する、請求項１４に記載のシステム。
【請求項２８】
さらに、
（ａ）掲示板メッセージ情報を含むべく適合された少なくとも１つの第３のサーチ可能なデータベースを提供するステップと、
（ｂ）前記少なくとも１個の第１の参加者から前記掲示板メッセージ情報を受け取るステップと、
（ｃ）前記少なくとも１個の第２の参加者が、前記少なくとも１つの第３のサーチ可能なデータベースを、前記少なくとも１つの第２のサーチ可能なデータベースと併せてサーチすることに関係づけられた第３のサーチ可能な評価基準を記述することを可能にするステップと、
（ｄ）前記少なくとも１個の第２の参加者が前記第３のサーチ評価基準に整合する前記掲示板メッセージ情報を見ることを可能にするステップと、
（ｅ）前記少なくとも１個の第２の参加者が前記少なくとも１個の第１の参加者に関係づけられた前記参加者個人プロファイル情報を見ることを可能にするステップと、
を包含する、請求項２７に記載のシステム。
【請求項２９】
少なくとも１個の第２の参加者による少なくとも１個の第１の参加者を見つける援助を行うことに関係するインターネット・コンピュータ・システム用のコンピュータ・プログラム・システムであって、
（ａ）参加者個人プロファイル情報をサーチ可能にストアするステップであって、前記参加者個人プロファイル情報が、少なくとも、
（ｉ）少なくとも１つの一意的な識別子、
（ｉｉ）人口学的情報、および、
（ｉｉｉ）連絡情報、
を包含する、ステップと、
（ｂ）前記少なくとも１個の第１の参加者の前記個人プロファイル情報のために入力を可能にするステップと、
（ｃ）少なくとも１つの掲示板投稿をサーチ可能にストアするステップと、
（ｄ）前記少なくとも１つの掲示板投稿について前記少なくとも１個の第１の参加者のために入力を可能にするステップと、
（ｅ）前記少なくとも１つの前記掲示板投稿と前記少なくとも１個の第１の参加者を関連させるステップと、
を包含するコンピュータ・プログラム・システム。
【請求項３０】
さらに、
（ａ）前記掲示板投稿と併せ、前記個人プロファイル情報との提案される整合のための前記少なくとも１個の第２の参加者の少なくとも１つの第１のサーチ可能な評価基準のために入力を可能にするステップと、
（ｂ）前記サーチ評価基準に整合する前記個人プロファイル情報に関連付けされた前記少なくとも１つの掲示板投稿を検索するステップと、
を包含する、請求項２９に記載のコンピュータ・プログラム・システム。
【請求項３１】
さらに、
（ａ）前記個人プロファイル情報の提案される整合のための前記少なくとも１個の第２の参加者の少なくとも１つの第２のサーチ可能な評価基準のために入力を可能にするステップと、
（ｂ）コンピュータ・データベースから前記第３のサーチ可能な評価基準に整合する前記第１の個人プロファイル情報を検索するステップと、
を包含する、請求項３０に記載のコンピュータ・プログラム・システム。
【請求項３２】
前記少なくとも１個の第１の参加者および前記少なくとも１個の第２の参加者のうちの少なくとも１個は少なくとも１個のチームを構成する、請求項３１に記載のコンピュータ・プログラム・システム。
【請求項３３】
前記少なくとも１個の第１の参加者および前記少なくとも１個の第２の参加者のうちの少なくとも１個は少なくとも１個のカップルを構成する、請求項３１に記載のコンピュータ・プログラム・システム。
【請求項３４】
前記個人プロファイル情報は、さらに
（ａ）結婚状態の情報、
（ｂ）子供の情報、
（ｃ）参加者の背景情報、
（ｄ）個人的特徴の情報、
（ｅ）好きな食べ物の情報、
（ｆ）好みの音楽の情報、および
（ｇ）少なくとも１つの画像、
のうちの少なくとも２つを包含する、請求項３２に記載のコンピュータ・プログラム・システム。
【請求項３５】
さらに、前記少なくとも１個の第２の参加者の前記少なくとも１個の第１の参加者との連絡を援助するステップを包含する、請求項３１に記載のコンピュータ・プログラム・システム。
【請求項３６】
前記少なくとも１個の第２の参加者の前記少なくとも１個の第１の参加者との連絡を援助する前記ステップは、
（ａ）前記第２の参加者に対する前記第１の参加者の第１の連絡情報の非開示を援助するステップ、および
（ｂ）前記第１の参加者に対する前記第２の参加者の第２の連絡情報の非開示を援助するステップ、
を包含する、請求項３５に記載のコンピュータ・プログラム・システム。
【請求項３７】
前記少なくとも１個の第２の参加者の前記少なくとも１個の第１の参加者との連絡を援助する前記ステップは、ディジタル携帯電話上のテキスト・メッセージングを用いて達成される、請求項３６に記載のコンピュータ・プログラム・システム。
【請求項３８】
少なくとも１個の第２の参加者による少なくとも１個の第１の参加者の参加者個人プロファイル情報の表示を援助するための少なくとも１つの提案合同イベントを見つけることに関係するインターネット・コンピュータ・システム用のコンピュータ・システムであって、
（ａ）提案イベント情報をサーチ可能にストアすることを援助するべく構造化され、かつアレンジされたコンピュータ処理であって、前記提案イベント情報が、少なくとも、
（ｉ）少なくとも１つのタイプの提案合同イベント、
（ｉｉ）前記提案合同イベントのための少なくとも１つの提案地理的エリア、および、
（ｉｉｉ）前記少なくとも１つの提案合同イベントのための少なくとも１つの提案時間評価基準、
を包含する、少なくとも１つのコンピュータ処理と、
（ｂ）前記少なくとも１つの提案合同イベントについて前記少なくとも１個の第１の参加者のために入力を可能にすることを援助するべく構造化され、かつアレンジされた少なくとも１つのコンピュータ処理と、
（ｃ）前記参加者個人プロファイル情報をサーチ可能にストアすることを援助するべく構造化され、かつアレンジされたコンピュータ処理であって、前記参加者個人プロファイル情報が、少なくとも、
（ｉ）少なくとも１つの一意的な識別子、
（ｉｉ）前記少なくとも１つのタイプの前記提案合同イベント、
（ｉｉｉ）前記少なくとも１つのタイプの提案合同イベントの少なくとも１つの第１の習熟レベルの事物、
（ｉｖ）人口学的情報、および、
（ｖ）連絡情報、
を包含する、少なくとも１つのコンピュータ処理と、
（ｄ）前記少なくとも１個の第１の参加者の前記参加者個人プロファイル情報のために入力を可能にすることを援助するべく構造化され、かつアレンジされた少なくとも１つのコンピュータ処理と、
（ｅ）前記入力された提案合同イベントと前記入力された参加者個人プロファイル情報を関連させることを可能にすることを援助するべく構造化され、かつアレンジされた少なくとも１つのコンピュータ処理と、
（ｆ）前記少なくとも１つの提案合同イベントの提案される整合のための前記少なくとも１個の第２の参加者の第１のサーチ可能な評価基準のために入力を可能にすることを援助するべく構造化され、かつアレンジされた少なくとも１つのコンピュータ処理と、
（ｇ）前記コンピュータ・データベースから前記第１のサーチ可能な評価基準に整合する前記ストアされた提案イベント情報を検索することを援助するべく構造化され、かつアレンジされた少なくとも１つのコンピュータ処理と、  （ｈ）前記検索された提案イベント情報に関連付けされる前記入力された参加者プロファイル情報を表示することを援助するべく構造化され、かつアレンジされた少なくとも１つのコンピュータ処理と、
を包含するコンピュータ・システム。
【請求項３９】
前記少なくとも１つのタイプの提案合同イベントは、少なくとも１つのスポーツ・イベントを包含する、請求項３８に記載のコンピュータ・システム。
【請求項４０】
前記少なくとも１個の第１の参加者および前記少なくとも１個の第２の参加者のうちの少なくとも１個は少なくとも１個のチームを構成する、請求項３９に記載のコンピュータ・システム。
【請求項４１】
前記少なくとも１個の第１の参加者および前記少なくとも１個の第２の参加者のうちの少なくとも１個は少なくとも１個のカップルを構成する、請求項３９に記載のコンピュータ・システム。
【請求項４２】
さらに、
（ａ）前記少なくとも１個の第１の参加者のために、前記少なくとも１つのタイプの提案合同イベントの少なくとも１つの第１の習熟レベルの入力を可能にすることを援助するべく構造化され、かつアレンジされた少なくとも１つのコンピュータ処理と、
（ｂ）前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にすることを援助するべく構造化され、かつアレンジされた少なくとも１つのコンピュータ処理と、
（ｃ）前記コンピュータ・データベースから前記第２のサーチ可能な評価基準に整合する前記提案イベント情報を検索することを援助するべく構造化され、かつアレンジされた少なくとも１つのコンピュータ処理と、
（ｄ）前記検索された提案イベント情報に関連付けされる前記入力された参加者プロファイル情報を表示することを援助するべく構造化され、かつアレンジされた少なくとも１つのコンピュータ処理と、
を包含する、請求項３９に記載のコンピュータ・システム。
【請求項４３】
さらに、前記少なくとも１個の第１の参加者のために前記コンピュータ・データベースから前記提案イベント情報を検索することを援助するべく構造化され、かつアレンジされた少なくとも１つのコンピュータ処理、
を包含する請求項３９に記載のコンピュータ・システム。
【請求項４４】
さらに、
（ａ）前記個人プロファイル情報の提案される整合のための前記少なくとも１個の第２の参加者の少なくとも１つの第３のサーチ可能な評価基準のために入力を可能にすることを援助するべく構造化され、かつアレンジされた少なくとも１つのコンピュータ処理、および
（ｂ）前記コンピュータ・データベースから前記第３のサーチ可能な評価基準に整合する前記個人プロファイル情報を検索することを援助するべく構造化され、かつアレンジされた少なくとも１つのコンピュータ処理、
を包含する、請求項３９に記載のコンピュータ・システム。
【請求項４５】
前記個人プロファイル情報は、さらに
（ａ）子供の情報、
（ｂ）参加者の背景情報、
（ｃ）個人的特徴の情報、
（ｄ）好きな食べ物の情報、
（ｅ）好みの音楽の情報、および
（ｆ）少なくとも１つの画像、
のうちの少なくとも２つを包含する、請求項４４に記載のコンピュータ・システム。
【請求項４６】
さらに、
（ａ）少なくとも１つの掲示板投稿をサーチ可能にストアすることを援助するべく構造化され、かつアレンジされた少なくとも１つのコンピュータ処理と、
（ｂ）前記少なくとも１つの掲示板投稿について前記少なくとも１個の第１の参加者のために入力を可能にすることを援助するべく構造化され、かつアレンジされた少なくとも１つのコンピュータ処理と、
（ｃ）前記少なくとも１つの前記掲示板投稿と前記少なくとも１個の第１の参加者を関連させることを援助するべく構造化され、かつアレンジされた少なくとも１つのコンピュータ処理と、
（ｄ）前記個人プロファイル情報との提案される整合のための前記少なくとも１個の第２の参加者の少なくとも１つの第４のサーチ可能な評価基準のために入力を可能にすることを援助するべく構造化され、かつアレンジされた少なくとも１つのコンピュータ処理と、  （ｅ）前記第４のサーチ可能な評価基準に整合する前記個人プロファイル情報に関連付けされた前記少なくとも１つの掲示板投稿を検索することを援助するべく構造化され、かつアレンジされた少なくとも１つのコンピュータ処理と、
を包含する、請求項３９に記載のコンピュータ・システム。
【請求項４７】
前記第４のサーチ可能な評価基準は、
（ａ）少なくとも１つのタイプの提案合同イベント、
（ｂ）前記提案合同イベントのための少なくとも１つの提案地理的エリア、および
（ｃ）前記少なくとも１つの提案合同イベントのための少なくとも１つの提案時間評価基準、
を包含する、請求項４６に記載のコンピュータ・システム。
【請求項４８】
さらに、前記少なくとも１個の第２の参加者の前記少なくとも１個の第１の参加者との連絡を援助することを援助するべく構造化され、かつアレンジされた少なくとも１つのコンピュータ処理を包含する、請求項３８に記載のコンピュータ・システム。
【請求項４９】
前記少なくとも１個の第２の参加者の前記少なくとも１個の第１の参加者との連絡を援助することを援助するべく構造化され、かつアレンジされた前記少なくとも１つのコンピュータ処理は、
（ａ）前記第２の参加者に対する前記第１の参加者の第１の連絡情報の非開示を援助することを援助するべく構造化され、かつアレンジされた少なくとも１つのコンピュータ処理、および
（ｂ）前記第１の参加者に対する前記第２の参加者の第２の連絡情報の非開示を援助することを援助するべく構造化され、かつアレンジされた少なくとも１つのコンピュータ処理、
を包含する、請求項４８に記載のコンピュータ・システム。
【発明の詳細な説明】
【技術分野】
【０００１】
本発明は、見知らぬ人々の間に出会いを手配するための改善された方法のためのシステムを提供することに関する。より詳細に述べれば、本発明は、特定のスポーツまたは社交イベントへの参加を提案している人々および／またはチームと類似のスポーツまたは社交イベントへの参加を希望している人々および／またはチームを引き合わせるためのシステムを提供することに関する。
【背景技術】
【０００２】
アメリカ合衆国等の国々内へのインターネットの爆発的な普及には、インターネット‐ベースの独身者縁組みシステムの急増が伴っている。これらの縁組みシステムは、概してロマンチックな関係を構築する目的のために、ほかの独身の男女との出会いを希望する独身の男女に主として向けられている。これらの縁組みシステムの成功は、今日インターネット上で利用できる縁組みに充てられている多数のウェブ・サイトによって立証される。インターネット‐ベースのデート・システムの例は、マッチ・ドットコム（Ｍａｔｃｈ．ｃｏｍ）、イーハーモニー・ドットコム（ｅＨａｒｍｏｎｙ．ｃｏｍ）およびキッス・ドットコム（Ｋｉｓｓ．ｃｏｍ）を含む。
【０００３】
通常、これらの縁組みシステムは、独身者および彼らの互いに出会いたいという希望に排他的に焦点を当てている。言い換えるとこれらの縁組みシステムは、「デート」以外の何かで出会いたい、または一緒に参加したいと希望している残りの人々のソシアル・ネットワークのニーズを無視している。これらのサイトを利用してゴルフまたはテニスに興味を持つ者を見つけることは可能であるが、これらの縁組みウェブ・サイト上において、ゴルフまたはテニスの特定の競技で対戦する相手を探し、見つけ出すことは不可能である。その結果として、非常に大きな人々のグループおよび活動が、効果的にインターネットを通じて社交的にネットワークすることができない。たとえばカップル、子供、およびチームは、イベント指向の、すなわち場所、時間、および日にちに依存する活動への参加を希望するほかの人々を識別するための手段を持たない。たとえば、地元から離れている間の土曜日にゴルフをプレイしたいと希望している旅行者は、グループに加わる機会があるか否かを決定するために、その地域内のゴルフ・コースに電話することに頼らなければならない。逆に言えば、この旅行者は、ゴルフのプレイを提案するために同一の方法に頼らなければならない。加えて、その旅行者は、先行してほかの参加者と知り合う機会を持たない。
【０００４】
したがって、インターネットを利用して、イベント（特にスポーツ）指向の活動を提案し、参加を受け入れることを希望するほかの人々の識別を容易にすることによって人々のためのソシアル・ネットワーク作りを効果的に可能にすることができるシステムについての大きなニーズが存在する。
【発明の開示】
【発明が解決しようとする課題】
【０００５】
本発明の主要な目的および特徴は、特定のスポーツおよび社交イベントの参加の提案を行っている人々と特定のスポーツおよび社交イベントへの参加を希望している人々を引き合わせるためのシステムを提供することである。
【０００６】
本発明の更なる目的および特徴は、参加者が特定のスポーツまたは社交イベントへの参加の提案を掲げることを可能にするためのシステム等を提供することである。
【０００７】
本発明の更なる目的および特徴は、特定のスポーツまたは社交イベントへの参加の提案を掲げている個人を参加者が探すことを可能にするためのシステム等を提供することである。
【０００８】
本発明の更なる目的および特徴は、参加者のスポーツおよび社交の関心および関連する習熟レベルのプロファイルを参加者が探すことを可能にするためのシステム等を提供することである。
【０００９】
本発明の更なる目的および特徴は、参加者が互いにウェブ・サイトを通じてコミュニケーションすることを可能にするためのシステム等を提供することである。
【００１０】
本発明の更なる目的および特徴は、カップル、子供、およびチームが特定のスポーツまたは社交イベントへの参加の提案を掲げることを可能にするためのシステム等を提供することである。
【００１１】
本発明の更なる主要な目的および特徴は、効率的であり、高価でなく、かつ手頃であるシステム等を提供することである。本発明のこのほかの目的および特徴は、以下の説明を参照することによって明らかになるであろう。
【課題を解決するための手段】
【００１２】
ここでの好ましい実施態様によれば、本発明は、少なくとも１個の第２の参加者による少なくとも１個の第１の参加者の参加者個人プロファイル情報の表示を援助するための少なくとも１つの提案合同イベントを見つけることに関係するインターネット・コンピュータ・システム用のコンピュータ・プログラム・システムを提供し、当該コンピュータ・プログラム・システムは、提案イベント情報をサーチ可能にストアするステップであって、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準、を包含する、ステップと、前記少なくとも１つの提案合同イベントについて前記少なくとも１個の第１の参加者のために入力を可能にするステップと、前記参加者個人プロファイル情報をサーチ可能にストアするステップであって、前記参加者個人プロファイル情報が、少なくとも、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、および連絡情報を包含する、ステップと、前記少なくとも１個の第１の参加者の前記参加者個人プロファイル情報のために入力を可能にするステップと、前記入力された提案合同イベントと前記入力された参加者個人プロファイル情報を関連させることを可能にするステップと、前記少なくとも１つの提案合同イベントの提案される整合のための前記少なくとも１個の第２の参加者の第１のサーチ可能な評価基準のために入力を可能にするステップと、前記コンピュータ・データベースから前記第１のサーチ可能な評価基準に整合する前記ストアされた提案イベント情報を検索するステップと、前記検索された提案イベント情報に関連付けされる前記入力された参加者プロファイル情報を表示するステップと、を包含する。さらにそれは、前記少なくとも１つのタイプの提案合同イベントが、少なくとも１つのスポーツ・イベントを包含する、この種のコンピュータ・プログラム・システムを提供する。加えてそれは、前記少なくとも１個の第１の参加者および前記少なくとも１個の第２の参加者のうちの少なくとも１個が少なくとも１個のチームを構成する、この種のコンピュータ・プログラム・システムを提供する。またそれは、前記少なくとも１個の第１の参加者および前記少なくとも１個の第２の参加者のうちの少なくとも１個が少なくとも１個のカップルを構成する、この種のコンピュータ・プログラム・システムを提供する。加えてそれは、さらに、前記少なくとも１個の第１の参加者のために、前記少なくとも１つのタイプの提案合同イベントの少なくとも１つの第１の習熟レベルの入力を可能にするステップと、前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にするステップと、前記コンピュータ・データベースから前記第２のサーチ可能な評価基準に整合する前記提案イベント情報を検索するステップと、前記検索された提案イベント情報に関連付けされる前記入力された参加者プロファイル情報を表示するステップを包含する、この種のコンピュータ・プログラム・システムを提供する。またそれは、さらに、前記少なくとも１個の第１の参加者のために前記コンピュータ・データベースから前記提案イベント情報を検索するステップを包含する、この種のコンピュータ・プログラム・システムを提供する。さらにまたそれは、さらに、前記個人プロファイル情報の提案される整合のための前記少なくとも１個の第２の参加者の少なくとも１つの第３のサーチ可能な評価基準のために入力を可能にするステップと、前記コンピュータ・データベースから前記第３のサーチ可能な評価基準に整合する前記個人プロファイル情報を検索するステップと、を包含する、この種のコンピュータ・プログラム・システムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のコンピュータ・プログラム・システムを提供する。ほかにもそれは、さらに、少なくとも１つの掲示板投稿をサーチ可能にストアするステップと、前記少なくとも１つの掲示板投稿について前記少なくとも１個の第１の参加者のために入力を可能にするステップと、前記少なくとも１つの前記掲示板投稿と前記少なくとも１個の第１の参加者を関連させるステップと、前記個人プロファイル情報との提案される整合のための前記少なくとも１個の第２の参加者の少なくとも１つの第４のサーチ可能な評価基準のために入力を可能にするステップと、前記第４のサーチ可能な評価基準に整合する前記個人プロファイル情報に関連付けされた前記少なくとも１つの掲示板投稿を検索するステップを包含する、この種のコンピュータ・プログラム・システムを提供する。加えてそれは、前記第４のサーチ可能な評価基準が、少なくとも１つのタイプの提案合同イベントと、前記提案合同イベントのための少なくとも１つの提案地理的エリアと、前記少なくとも１つの提案合同イベントのための少なくとも１つの提案時間評価基準と、を包含する、この種のコンピュータ・プログラム・システムを提供する。またそれは、さらに、前記少なくとも１個の第２の参加者の前記少なくとも１個の第１の参加者との連絡を援助するステップを包含する、この種のコンピュータ・プログラム・システムを提供する。加えてそれは、前記少なくとも１個の第２の参加者の前記少なくとも１個の第１の参加者との連絡を援助するステップが、前記第２の参加者に対する前記第１の参加者の第１の連絡情報の非開示を援助するステップと、前記第１の参加者に対する前記第２の参加者の第２の連絡情報の非開示を援助するステップと、を包含する、この種のコンピュータ・プログラム・システムを提供する。またそれは、前記少なくとも１個の第２の参加者の前記少なくとも１個の第１の参加者との連絡を援助するステップが、ディジタル携帯電話上のテキスト・メッセージングを用いて達成される、この種のコンピュータ・プログラム・システムを提供する。
【００１３】
ここでの別の好ましい実施態様によれば、本発明は、インターネット・ウェブ・サイトを利用するビジネスを行うことに関係するシステムを提供し、当該システムは、提案スポーツ・イベント情報を含むべく適合された少なくとも１つの第１のサーチ可能なデータベースを提供するステップと、少なくとも１個の第１の参加者から前記提案スポーツ・イベント情報を受け取るステップと、参加者個人プロファイル情報を含むべく適合された少なくとも１つの第２のサーチ可能なデータベースを提供するステップと、前記少なくとも１個の第１の参加者から前記参加者個人プロファイル情報を受け取るステップと、少なくとも１個の第２の参加者が、前記少なくとも１つの第１のサーチ可能なデータベースをサーチすることに関係づけられた第１のサーチ可能な評価基準を記述することを可能にするステップと、前記第１のサーチ可能な評価基準が、少なくとも、少なくとも１つのタイプの提案スポーツ・イベント、前記少なくとも１つの提案スポーツ・イベントに関係づけられた少なくとも１つの提案地理的エリア、および前記少なくとも１つの提案スポーツ・イベントに関係づけられた少なくとも１つの提案時間枠、を包含し、前記第１のサーチ評価基準に整合する前記提案スポーツ・イベント情報を検索するステップと、前記少なくとも１個の第２の参加者に、前記少なくとも１個の第１の参加者からの前記参加者個人プロファイル情報を呈示するステップと、を包含する。さらにそれは、さらに、ウェブ・サイト広告収益を受け取るステップを包含する、この種のシステムを提供する。さらにまたそれは、前記ウェブ・サイト広告収益を受け取るステップが、少なくとも１個の広告主に対してウェブ・サイト広告を提案するステップと、前記少なくとも１個の広告主から少なくとも１つのウェブ・サイト広告を受け取るステップと、前記少なくとも１個の広告主から支払いを受け取るステップと、前記支払いを受け取るステップの後、前記少なくとも１つのウェブ・サイト広告を承認するステップと、前記承認した前記少なくとも１つのウェブ・サイト広告を表示するステップと、を包含する、この種のシステムを提供する。その上それは、さらに、前記少なくとも１個の第１の参加者および前記少なくとも１個の第２の参加者のうちの少なくとも１個が前記少なくとも１個の広告主に対する少なくとも１つのリンクを選択することを可能にするステップを包含する、この種のシステムを提供する。加えてそれは、前記少なくとも１個の広告主が少なくとも１つのスポーツ開催場所を包含する、この種のシステムを提供する。またそれは、さらに、会費を受け取るステップを包含する、この種のシステムを提供する。加えてそれは、前記会費を受け取るステップが、前記少なくとも１個の第１の参加者および前記少なくとも１個の第２の参加者のうちの少なくとも１個からの支払いを受け取るステップを包含する、この種のシステムを提供する。またそれは、さらに、前記少なくとも１個の第１の参加者および前記少なくとも１個の第２の参加者のうちの少なくとも１個に対して販売するために少なくとも１つの製品を提案するステップと、前記少なくとも１個の第１の参加者および前記少なくとも１個の第２の参加者のうちの少なくとも１個からの支払いを受け取るステップと、を包含する、この種のシステムを提供する。さらにそれは、さらに、少なくとも１個のイベント提供者とともに前記少なくとも１個の第１の参加者および前記少なくとも１個の第２の参加者のうちの少なくとも１個のために少なくとも１つのグループ・イベントを促進するステップと、それぞれの参加する、前記少なくとも１個の第１の参加者および前記少なくとも１個の第２の参加者のうちの少なくとも１個に少なくとも１つの料金を課するステップと、および前記少なくとも１個のイベント提供者に支払うステップと、を包含する、この種のシステムを提供する。さらにまたそれは、さらに、前記少なくとも１個の第１の参加者および前記少なくとも１個の第２の参加者のうちの少なくとも１個が、前記少なくとも１個の旅行提供者に対する少なくとも１つのリンクを選択することを可能にするステップと、前記少なくとも１個の旅行提供者から紹介料を受け取るステップと、を包含する、この種のシステムを提供する。ほかにもそれは、さらに、少なくとも１個の実際のテレビジョン番組提供者とともに少なくとも１つの実際のテレビジョン番組を促進するステップと、前記少なくとも１個の第１の参加者および前記少なくとも１個の第２の参加者のうちの少なくとも１個から前記少なくとも１つの実際のテレビジョン番組に参加する少なくとも１つの提案を受け入れるステップと、を包含する。加えてそれは、さらに、前記少なくとも１個の第１の参加者および前記少なくとも１個の第２の参加者の間における連絡を援助するステップを包含する、この種のシステムを提供する。またそれは、さらに、少なくとも１つのアフィリエイトに少なくとも１個の新しい参加者の紹介のための支払いを提案するステップを包含する、この種のシステムを提供する。加えてそれは、さらに、前記少なくとも１個の第２の参加者が、前記少なくとも１つの第２のサーチ可能なデータベースをサーチすることに関係づけられた第２のサーチ可能な評価基準を記述することを可能にするステップと、前記少なくとも１個の第２の参加者が、前記第２のサーチ評価基準に整合する前記個人プロファイル情報を見ることを可能にするステップと、を包含する、この種のシステムを提供する。またそれは、さらに、掲示板メッセージ情報を含むべく適合された少なくとも１つの第３のサーチ可能なデータベースを提供するステップと、前記少なくとも１個の第１の参加者から前記掲示板メッセージ情報を受け取るステップと、前記少なくとも１個の第２の参加者が、前記少なくとも１つの第３のサーチ可能なデータベースを、前記少なくとも１つの第２のサーチ可能なデータベースと併せてサーチすることに関係づけられた第３のサーチ可能な評価基準を記述することを可能にするステップと、前記少なくとも１個の第２の参加者が前記第３のサーチ評価基準に整合する前記掲示板メッセージ情報を見ることを可能にするステップと、前記少なくとも１個の第２の参加者が前記少なくとも１個の第１の参加者に関係づけられた前記参加者個人プロファイル情報を見ることを可能にするステップと、を包含する、この種のシステムを提供する。
【００１４】
ここでの別の好ましい実施態様によれば、本発明は、少なくとも１個の第２の参加者による少なくとも１個の第１の参加者を見つける援助を行うことに関係するインターネット・コンピュータ・システム用のコンピュータ・プログラム・システムを提供し、当該コンピュータ・プログラム・システムは、参加者個人プロファイル情報をサーチ可能にストアするステップであって、前記参加者個人プロファイル情報が、少なくとも、少なくとも１つの一意的な識別子、人口学的情報、連絡情報を包含する、ステップと、前記少なくとも１個の第１の参加者の前記個人プロファイル情報のために入力を可能にするステップと、少なくとも１つの掲示板投稿をサーチ可能にストアするステップと、前記少なくとも１つの掲示板投稿について前記少なくとも１個の第１の参加者のために入力を可能にするステップと、前記少なくとも１つの前記掲示板投稿と前記少なくとも１個の第１の参加者を関連させるステップと、を包含する。さらにそれは、さらに、前記掲示板投稿と併せ、前記個人プロファイル情報との提案される整合のための前記少なくとも１個の第２の参加者の少なくとも１つの第１のサーチ可能な評価基準のために入力を可能にするステップと、前記サーチ評価基準に整合する前記個人プロファイル情報に関連付けされた前記少なくとも１つの掲示板投稿を検索するステップと、を包含する、この種のコンピュータ・プログラム・システムを提供する。さらにまたそれは、さらに、前記個人プロファイル情報の提案される整合のための前記少なくとも１個の第２の参加者の少なくとも１つの第２のサーチ可能な評価基準のために入力を可能にするステップと、コンピュータ・データベースから前記第３のサーチ可能な評価基準に整合する前記第１の個人プロファイル情報を検索するステップと、を包含する、この種のコンピュータ・プログラム・システムを提供する。さらにまたそれは、前記少なくとも１個の第１の参加者および前記少なくとも１個の第２の参加者のうちの少なくとも１個が少なくとも１個のチームを構成する、この種のコンピュータ・プログラム・システムを提供する。さらにまたそれは、前記少なくとも１個の第１の参加者および前記少なくとも１個の第２の参加者のうちの少なくとも１個が少なくとも１個のカップルを構成する、この種のコンピュータ・プログラム・システムを提供する。さらにまたそれは、前記個人プロファイル情報が、さらに、結婚状態の情報、子供の情報、参加者の背景情報、個人的特徴の情報、好きな食べ物の情報、好みの音楽の情報、および少なくとも１つの画像、のうちの少なくとも２つを包含する、この種のコンピュータ・プログラム・システムを提供する。さらにまたそれは、さらに、前記少なくとも１個の第２の参加者の前記少なくとも１個の第１の参加者との連絡を援助するステップを包含する、この種のコンピュータ・プログラム・システムを提供する。さらにまたそれは、前記少なくとも１個の第２の参加者の前記少なくとも１個の第１の参加者との連絡を援助するステップが、前記第２の参加者に対する前記第１の参加者の第１の連絡情報の非開示を援助するステップ、および前記第１の参加者に対する前記第２の参加者の第２の連絡情報の非開示を援助するステップを包含する、この種のコンピュータ・プログラム・システムを提供する。さらにまたそれは、前記少なくとも１個の第２の参加者の前記少なくとも１個の第１の参加者との連絡を援助するステップがディジタル携帯電話上のテキスト・メッセージングを用いて達成される、この種のコンピュータ・プログラム・システムを提供する。
【００１５】
ここでの好ましい実施態様によれば、本発明は、少なくとも１個の第１の参加者を伴う少なくとも１個の第２の参加者による少なくとも１つの提案合同イベント探しを援助することに関係するインターネット・コンピュータ・システムが提供され、当該インターネット・コンピュータ・システムは、提案イベント情報をサーチ可能にストアするためのコンピュータ・データベース手段であって、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準を包含する、コンピュータ・データベース手段と、前記少なくとも１つの提案合同イベントについて前記少なくとも１個の第１の参加者のためにデータベース入力を可能にするためのコンピュータ・インターフェース手段と、前記少なくとも１つの提案合同イベントの提案される整合のための前記少なくとも１個の第２の参加者の第１のサーチ可能な評価基準のために入力を可能にするためのコンピュータ・インターフェース手段と、前記コンピュータ・データベース手段から前記第１のサーチ可能な評価基準に整合する前記提案イベント情報を検索するためのコンピュータ処理手段と、を包含する。ほかにもそれは、前記少なくとも１つのタイプの提案合同イベントが少なくとも１つのスポーツ・イベントを包含する、この種のインターネット・コンピュータ・システムを提供する。加えてそれは、前記少なくとも１個の第１の参加者および前記少なくとも１個の第２の参加者のうちの少なくとも１個が少なくとも１個のチームを構成する、この種のインターネット・コンピュータ・システムを提供する。またそれは、前記少なくとも１個の第１の参加者および前記少なくとも１個の第２の参加者のうちの少なくとも１個が少なくとも１個のカップルを構成する、この種のインターネット・コンピュータ・システムを提供する。加えてそれは、さらに、前記少なくとも１個の第１の参加者のために、前記少なくとも１つのタイプの提案合同イベントの少なくとも１つの第１の習熟レベルのデータベース入力を可能にするためのコンピュータ・インターフェース手段と、前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にするためのコンピュータ・インターフェース手段と、前記コンピュータ・データベース手段から前記第２のサーチ可能な評価基準に整合する前記提案イベント情報を検索するためのコンピュータ処理手段と、を包含する、この種のインターネット・コンピュータ・システムを提供する。またそれは、さらに、前記少なくとも１個の第１の参加者のために前記コンピュータ・データベースから前記提案イベント情報を検索するためのコンピュータ処理手段を包含する、この種のインターネット・コンピュータ・システムを提供する。さらにそれは、さらに、参加者個人プロファイル情報をサーチ可能にストアするためのコンピュータ・データベース手段であって、前記参加者個人プロファイル情報が、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、及び連絡情報、を少なくとも包含するコンピュータ・データベース手段と、前記少なくとも１個の第１の参加者の前記参加者個人プロファイル情報のためのデータベース入力のためのコンピュータ・インターフェース手段と、前記個人プロファイル情報の提案される整合のための前記少なくとも１個の第２の参加者の少なくとも１つの第３のサーチ可能な評価基準のために入力を可能にするためのコンピュータ・インターフェース手段と、前記コンピュータ・データベース手段から前記第３のサーチ可能な評価基準に整合する前記第１の個人プロファイル情報を検索するためのコンピュータ処理手段と、を包含する、この種のインターネット・コンピュータ・システムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のインターネット・コンピュータ・システムを提供する。ほかにもそれは、さらに、少なくとも１つの掲示板投稿をサーチ可能にストアするためのコンピュータ・データベース手段と、前記少なくとも１つの掲示板投稿について前記少なくとも１個の第１の参加者のための入力のためのコンピュータ・インターフェース手段と、前記少なくとも１つの前記掲示板投稿と前記少なくとも１個の第１の参加者とを関連付けるためのコンピュータ処理手段と、前記個人プロファイル情報との提案される整合のための前記少なくとも１個の第２の参加者の少なくとも１つの第４のサーチ可能な評価基準のために入力を可能にするためのコンピュータ・インターフェース手段と、前記第４のサーチ可能な評価基準に整合する前記個人プロファイル情報に関連付けされた前記少なくとも１つの掲示板投稿を検索するためのコンピュータ処理手段と、を包含する、この種のインターネット・コンピュータ・システムを提供する。インターネット・コンピュータ・システムにおいて、前記第４のサーチ可能な評価基準は、少なくとも１つのタイプの提案合同イベント、前記提案合同イベントのための少なくとも１つの提案地理的エリア、および前記少なくとも１つの提案合同イベントのための少なくとも１つの提案時間評価基準を包含する。加えてそれは、さらに、前記少なくとも１個の第２の参加者の前記少なくとも１個の第１の参加者との連絡を援助するためのコンピュータ処理手段を包含する、この種のインターネット・コンピュータ・システムを提供する。またそれは、前記少なくとも１個の第２の参加者の前記少なくとも１個の第１の参加者との連絡を援助するための前記コンピュータ処理手段が、前記第２の参加者に対する前記第１の参加者の第１の連絡情報の非開示を援助するためのコンピュータ処理手段、および前記第１の参加者に対する前記第２の参加者の第２の連絡情報の非開示を援助するためのコンピュータ処理手段を包含する、この種のインターネット・コンピュータ・システムを提供する。
【００１６】
ここでの別の好ましい実施態様によれば、本発明は、少なくとも１個の第２の参加者による少なくとも１個の第１の参加者の参加者個人プロファイル情報の表示を援助するための少なくとも１つの提案合同イベントを見つけることに関係するインターネット・コンピュータ・システム用のコンピュータ・システムを提供し、当該コンピュータ・システムは、提案イベント情報をサーチ可能にストアすることを援助するべく構造化され、かつアレンジされた少なくとも１つのコンピュータ処理であって、前記提案イベント情報が、少なくとも１つのタイプの提案合同イベント、前記提案合同イベントのための少なくとも１つの提案地理的エリア、および前記少なくとも１つの提案合同イベントのための少なくとも１つの提案時間評価基準、を少なくとも包含する、コンピュータ処理と、前記少なくとも１つの提案合同イベントについて前記少なくとも１個の第１の参加者のために入力を可能にすることを援助するべく構造化され、かつアレンジされた少なくとも１つのコンピュータ処理と、前記参加者個人プロファイル情報をサーチ可能にストアすることを援助するべく構造化され、かつアレンジされた少なくとも１つのコンピュータ処理であって、前記参加者個人プロファイル情報が、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、および連絡情報、を少なくとも包含する、コンピュータ処理と、前記少なくとも１個の第１の参加者の前記参加者個人プロファイル情報のために入力を可能にすることを援助するべく構造化され、かつアレンジされた少なくとも１つのコンピュータ処理と、前記入力された提案合同イベントと前記入力された参加者個人プロファイル情報とを関連付けることを可能にすることを援助するべく構造化され、かつアレンジされた少なくとも１つのコンピュータ処理と、前記少なくとも１つの提案合同イベントの提案される整合のための前記少なくとも１個の第２の参加者の第１のサーチ可能な評価基準のために入力を可能にすることを援助するべく構造化され、かつアレンジされた少なくとも１つのコンピュータ処理と、前記コンピュータ・データベースから前記第１のサーチ可能な評価基準に整合する前記ストアされた提案イベント情報を検索することを援助するべく構造化され、かつアレンジされた少なくとも１つのコンピュータ処理と、前記検索された提案イベント情報に関連付けされる前記入力された参加者プロファイル情報を表示することを援助するべく構造化され、かつアレンジされた少なくとも１つのコンピュータ処理と、を包含する。さらにまたそれは、前記少なくとも１つのタイプの提案合同イベントが少なくとも１つのスポーツ・イベントを包含する、この種のコンピュータ・システムを提供する。さらにまたそれは、前記少なくとも１個の第１の参加者および前記少なくとも１個の第２の参加者のうちの少なくとも１個が少なくとも１個のチームを構成する、この種のコンピュータ・システムを提供する。さらにまたそれは、前記少なくとも１個の第１の参加者および前記少なくとも１個の第２の参加者のうちの少なくとも１個が少なくとも１個のカップルを構成する、この種のコンピュータ・システムを提供する。さらにまたそれは、さらに、前記少なくとも１個の第１の参加者のために、前記少なくとも１つのタイプの提案合同イベントの少なくとも１つの第１の習熟レベルの入力を可能にすることを援助するべく構造化され、かつアレンジされた少なくとも１つのコンピュータ処理と、前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にすることを援助するべく構造化され、かつアレンジされた少なくとも１つのコンピュータ処理と、前記コンピュータ・データベースから前記第２のサーチ可能な評価基準に整合する前記提案イベント情報を検索することを援助するべく構造化され、かつアレンジされた少なくとも１つのコンピュータ処理と、前記検索された提案イベント情報に関連付けされる前記入力された参加者プロファイル情報を表示することを援助するべく構造化され、かつアレンジされた少なくとも１つのコンピュータ処理と、を包含する、この種のコンピュータ・システムを提供する。さらにまたそれは、さらに、前記少なくとも１個の第１の参加者のために前記コンピュータ・データベースから前記提案イベント情報を検索することを援助するべく構造化され、かつアレンジされた少なくとも１つのコンピュータ処理を包含する、この種のコンピュータ・システムを提供する。さらにまたそれは、さらに、前記個人プロファイル情報の提案される整合のための前記少なくとも１個の第２の参加者の少なくとも１つの第３のサーチ可能な評価基準のために入力を可能にすることを援助するべく構造化され、かつアレンジされた少なくとも１つのコンピュータ処理と、前記コンピュータ・データベースから前記第３のサーチ可能な評価基準に整合する前記個人プロファイル情報を検索することを援助するべく構造化され、かつアレンジされた少なくとも１つのコンピュータ処理と、を包含する、この種のコンピュータ・システムを提供する。さらにまたそれは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含する、この種のコンピュータ・システムを提供する。さらにまたそれは、さらに、少なくとも１つの掲示板投稿をサーチ可能にストアすることを援助するべく構造化され、かつアレンジされた少なくとも１つのコンピュータ処理と、前記少なくとも１つの掲示板投稿について前記少なくとも１個の第１の参加者のために入力を可能にすることを援助するべく構造化され、かつアレンジされた少なくとも１つのコンピュータ処理と、前記少なくとも１つの前記掲示板投稿と前記少なくとも１個の第１の参加者を関連させることを援助するべく構造化され、かつアレンジされた少なくとも１つのコンピュータ処理と、前記個人プロファイル情報との提案される整合のための前記少なくとも１個の第２の参加者の少なくとも１つの第４のサーチ可能な評価基準のために入力を可能にすることを援助するべく構造化され、かつアレンジされた少なくとも１つのコンピュータ処理と、前記第４のサーチ可能な評価基準に整合する前記個人プロファイル情報に関連付けされた前記少なくとも１つの掲示板投稿を検索することを援助するべく構造化され、かつアレンジされた少なくとも１つのコンピュータ処理と、を包含する、この種のコンピュータ・システムを提供する。さらにまたそれは、前記第４のサーチ可能な評価基準が、少なくとも１つのタイプの提案合同イベント、前記提案合同イベントのための少なくとも１つの提案地理的エリア、および前記少なくとも１つの提案合同イベントのための少なくとも１つの提案時間評価基準、を包含する、この種のコンピュータ・システムを提供する。さらにまたそれは、さらに、前記少なくとも１個の第２の参加者の前記少なくとも１個の第１の参加者との連絡を援助することを援助するべく構造化され、かつアレンジされた少なくとも１つのコンピュータ処理を包含する、この種のコンピュータ・システムを提供する。さらにまたそれは、前記少なくとも１個の第２の参加者の前記少なくとも１個の第１の参加者との連絡を援助することを援助するべく構造化され、かつアレンジされた前記少なくとも１つのコンピュータ処理が、前記第２の参加者に対する前記第１の参加者の第１の連絡情報の非開示を援助することを援助するべく構造化され、かつアレンジされた少なくとも１つのコンピュータ処理と、および前記第１の参加者に対する前記第２の参加者の第２の連絡情報の非開示を援助することを援助するべく構造化され、かつアレンジされた少なくとも１つのコンピュータ処理と、を包含する、この種のコンピュータ・システムを提供する。
【発明を実施するための最良の形態】
【００１７】
＜定義、略語、およびクロスリファレンス＞
以下の用語および略語は基礎知識として説明されており、本明細書を通じて使用される。
【００１８】
ブログ（BLOG）（ウェブ・ログ（Web log）またはウェブログ（Weblog））。ウェブ・ページ上で公開される個人的な思考の経時的ログ、または人々が自分自身の個人的な経験および趣味についての日記エントリを投稿できる共有されたオンライン日誌等のオンライン日記をサポートする任意のシステム。
【００１９】
チャット／チャット・ルーム。任意数のユーザがタイピングによる（および／または音声ベースの）リアルタイムのオンライン会話を持つことを、すべてのユーザが同一のコンピュータにログインすることによって、または今日ではより一般的であるが、ネットワークを通じて、可能にする任意のシステム。特別なソフトウエアを使用してインターネット・ユーザは、リアルタイムでコミュニケーションが可能なチャット・エリアまたは「仮想空間」に入ることができる。
【００２０】
クライアント‐サーバ。１つのサイトのプログラムが、別のサイトのプログラムに要求を送信し、応答を待機する分散システムにおけるインタラクションのモデル。要求しているプログラムが「クライアント」と呼ばれ、その要求に応答するプログラムが「サーバ」と呼ばれる。ワールド・ワイド・ウェブ（World Wide Web）に関して言えば、クライアントが、ユーザのコンピュータ上で動作している「ウェブ・ブラウザ」であり、ウェブ・サイトにおいてウェブ・ブラウザの要求に応答するプログラムは、一般に「ウェブ・サーバ」と呼ばれる。
【００２１】
データベース。コンピュータ・システム上に維持される１つまたは複数の大規模な構造化された持続性のデータのセットであり、組織のための規則を定義することのほかに、クエリに応答してデータを読み出し、書き込み、修正することをはじめ、含まれているデータに関係する統計情報を提供するソフトウエア・システムに従って組織化され、かつ構造化される。考察の目的のためにここで使用されるとき、データベースを、単一の統一されたシステムとしてもよいし、あるいは、特定のデータベース・エレメントが異なるシステム上に配置されるが、調和して作用して１つの統一されたデータベースのように見える分散システムとしてもよい。
【００２２】
ドメイン名システム（ＤＮＳ）。（アルファベット識別子である）ドメイン名を（ＴＣＰ／ＩＰネットワーク上のマシンのための数字識別子である）ＩＰアドレスに翻訳するインターネット・サービス。
【００２３】
Ｅメール。パーソナル・コンピュータ間等においてコンピュータ・ネットワークを介して電子的にメッセージを送信し、受信するためのシステム。
【００２４】
拡張マークアップ言語（Extensible Markup Language，ＸＭＬ）。ＸＭＬは、ＸＭＬ文書として知られるデータ・オブジェクトのクラスを記述し、かつそれらの文書を処理するコンピュータ・プログラムの振る舞いを部分的に記述する。より詳細に述べれば、ＸＭＬは、汎用マークアップ言語規約（Standard Generalized Markup Language，ＳＧＭＬとしても知られる）の限定された形式である。ＸＭＬ文書は、文字の形式の解析済みまたは未解析のデータまたは単なる文字のいずれかを包含するエンティティとして定義されるストレージ・ユニットから構成される。ＸＭＬは、より柔軟かつ適応性のある情報の形式を提供することによってインターネットの機能を向上させるべく意図され、設計されている。ＸＭＬは、任意の種類の構造化された情報をストアするため、およびそれを、そのようにカプセル化された形式で、ほかの場合には通信ができない異なるコンピュータ・システム間において渡すために使用できる。
【００２５】
ハイパーテキスト・マークアップ言語（Hypertext Markup Language，ＨＴＭＬ）。文書内の情報コンテントに対するプレゼンテーションのアタッチおよび属性のリンクのための標準のコーディング規約およびコードのセット。文書のオーサリング段階の間に、その文書の情報コンテント内にＨＴＭＬコード（「タグ」と呼ばれる）が埋め込まれる。その後に続いてウェブ文書（または「ＨＴＭＬ文書」）がウェブ・サーバからウェブ・ブラウザに転送されると、当該ウェブ・ブラウザによってそれらのコードが解釈され、その文書の解析および表示に使用される。ウェブ・ブラウザが文書をどのように表示すべきかの指定に加えて、ＨＴＭＬタグは、ほかのウェブ・サイトおよびほかのウェブ文書へのリンク（一般に「ハイパーリンク」と呼ばれる）の作成に使用することもできる。ＨＴＭＬに関するより詳しい情報は、イアン・Ｓ．グラハム（Ｉａｎ  Ｓ．  Ｇｒａｈａｍ）著「ジ・ＨＴＭＬソース・ブック（Ｔｈｅ  ＨＴＭＬ  Ｓｏｕｒｃｅ  Ｂｏｏｋ）」ジョン・ワイリー・アンド・サンズ・インク（Ｊｏｈｎ  Ｗｉｌｅｙ  ａｎｄ  Ｓｏｎｓ，  Ｉｎｃ．）１９９５年、（ＩＳＢＮ  ０４７１‐１１８９４‐４）を参照されたい。
【００２６】
ハイパーテキスト・トランスポート・プロトコル（Hypertext Transport Protocol，ＨＴＴＰ）。ウェブ・ブラウザとウェブ・サーバの間における情報（ＨＴＭＬ文書およびその種の文書に向けられたクライアント要求等）の交換のために使用される標準のワールド・ワイド・ウェブ・クライアント・サーバ・プロトコル。ＨＴＴＰは、異なるタイプのサーバのアクションを要求するためにクライアントからサーバに送信されることが可能な多くの異なるタイプのメッセージを含む。たとえばフォーマット「ＧＥＴ」を有する「ＧＥＴ」メッセージは、サーバに、指定されたユニフォーム・リソース・ロケータ（Uniform Resource Locator，ＵＲＬ）にある文書またはファイルを返させる。
【００２７】
ＨＴＴＰＳ。ＨＴＴＰオーバーＳＳＬ（Secure Sockets Layer）は、ＨＴＴＰ通信の安全な形式としてもっとも良好に理解できる。詳細に述べれば、ＳＳＬは、ＨＴＴＰトラフィックの認証および暗号化のために使用されるプロトコルである。動作においては、サーバおよびクライアントが、セッションの間に交換されるすべてのデータの暗号化に使用される一意的な暗号鍵の作成に使用される暗号鍵のセットを交換する。
【００２８】
インライン・フレーム（Inline FRAME）。ＨＴＭＬ  ４標準に含まれる、通常のフレームとよく似たコンテントを伴うフローティング・フレーム。インライン・フレームは、情報のフレームをユーザのディスプレイ上に常時、基礎をなすコンテントのスクロール・アップまたはダウンが行われる場合であっても維持するために有用である。
【００２９】
インスタント・メッセージング（Instant Messaging）。ＩＭと略される、電話による会話と類似しているが、音声ベースではなくテキスト‐ベースの通信を使用し、インターネットを介してリアルタイムで通信するための、ほかの個人とのプライベートなチャット・ルームといった類をユーザが作成することを可能にする通信サービスのタイプ。通常、インスタント・メッセージングは、ユーザのプライベート・リスト上の誰かがオンラインのとき、そのユーザに警告する。その後ユーザは、その特定の個人とのチャット・セッションを開始できる。
【００３０】
インターネット。分散ネットワークを形成する標準プロトコルのセットによって互いにリンクされた相互接続（公衆および／または専用）ネットワークの集合。この用語によって、現在一般に「インターネット」として知られているものを表すことが意図されるが、既存の標準プロトコルに対する変更および追加を含め、将来作られる可能性のあるバリエーションを包含することも意図される。
【００３１】
ＬＡＮ。通常は建物またはオフィス内において、アプリケーション・ソフトウエア、プリンタ、およびクライアント情報等のリソースおよびファイルのネットワーク、関連する共有をオフィス間セッティングで可能にするコンピュータ・システムのローカル・エリア・ネットワーク（Local Area Network）。
【００３２】
ＰＨＰ。動的ウェブ・ページの作成に使用されるサーバ側、クロス‐プラットフォーム、ＨＴＭＬ埋め込みスクリプト言語。ＰＨＰはオープン・ソース・ソフトウエア（Open Source Software）である。
【００３３】
ショート・メッセージ・サービス（Short Message Service，ＳＭＳ）。ほとんどの携帯電話（およびほかのモバイル・デバイス、たとえばポケットＰＣ、または場合によってはデスクトップ・コンピュータさえ含む）で利用できる、携帯電話、ほかのハンドヘルド・デバイス、さらには陸線電話の間における短いメッセージ（テキスト・メッセージまたはより日常会話的にはＳＭＳ、テキスト（text）、さらにはｔｘｔとしても知られる）の送信を可能にするサービス。メッセージは、ストア‐アンド‐フォワード・メカニズムを経由してショート・メッセージ・サービス・センタ（Short Message Service Centre，ＳＭＳＣ）に送信され、それが受信者に対するそのメッセージの送信を試みることになる。そのときユーザが到達可能でなければ、ＳＭＳＣがそのメッセージを保存する。その後、ユーザが到達可能になると、ＳＭＳＣが配信プロセスを再試行する。
【００３４】
ＳＱＬ（Structured Query Language）。ＳＱＬは、データの挿入、削除、更新、およびデータを返させるための一般的なクエリといったタスクを実行する目的でリレーショナル・データベース・マネジメント・システム（オラクル（Oracle）、サイベース（Sybase）、マイクロソフトＳＱＬサーバ、アクセス（Access）等）との通信に使用される標準言語である。
【００３５】
シンプル・オブジェクト・アクセス・プロトコル（Simple Object Access Protocol，ＳＯＡＰ）。ＳＯＡＰは、非集中的な分散されたプラットフォーム非依存環境で情報を交換するための軽量ＸＭＬ／ＨＴＴＰ‐ベースのプロトコルである。基本的にＳＯＡＰは、３つの部分からなる。第１は、メッセージ内に何が含まれているか、およびそれがどのように処理されるべきかを記述するためのフレームワークを定義するエンベロープである。第２は、アプリケーション定義のデータ型のインスタンスを表現するためのエンコーディング規則のセットである。第３は、リモートのプロシージャ呼び出しおよび応答を表すための正規化された規約である。
【００３６】
伝送制御プロトコル／インターネット・プロトコル（Transmission Control Protocol/Internet Protocol，ＴＣＰ／ＩＰ）。２つのコンピュータがインターネットを介してどのようにデータを交換するかを指定する標準インターネット・プロトコル（またはプロトコルのセット）。ＴＣＰ／ＩＰは、パケット化、パケット・アドレシング、およびハンドシェーキングおよびエラー訂正といった問題を取り扱う。ＴＣＰ／ＩＰについてのより詳しい情報は、コマーおよびスティーブンス（Ｃｏｍｅｒ、Ｓｔｅｖｅｎｓ）著「インターネットワーキング・ウィズＴＣＰ／ＩＰ（Ｉｎｔｅｒｎｅｔｗｏｒｋｉｎｇ  ｗｉｔｈ  ＴＣＰ／ＩＰ）」の第Ｉ、ＩＩ、およびＩＩＩ巻、プレンティス・ホール・インク（Ｐｒｅｎｔｉｃｅ  Ｈａｌｌ，  Ｉｎｃ．）、ＩＳＢＮ  ０‐１３‐４６８５０５‐９  （ｖｏｌ．  Ｉ）、０‐１３‐１２５５２７‐４  （ｖｏｌ．  ＩＩ）、および０‐１３‐４７４２２２‐２  （ｖｏｌ．  ＩＩＩ）を参照されたい。
【００３７】
ユニフォーム・リソース・ロケータ（Uniform Resource Locator，ＵＲＬ）。インターネット上のファイルまたはそのほかのリソースの場所を完全に指定する一意的なアドレス。ＵＲＬの一般的な形式は、プロトコール：／／ｍａｃｈｉｎｅ  ａｄｄｒｅｓｓ：ｐｏｒｔ／ｐａｔｈ／ｆｉｌｅｎａｍｅである。ポート指定はオプションであり、ユーザによって入力されないときには、ウェブ・ブラウザが、プロトコルとして指定されているどのようなサービスについても標準のポートをデフォルト設定する。たとえば、ＨＴＴＰがプロトコルとして指定されている場合には、ウェブ・ブラウザがＨＴＴＰのデフォルトのポートを使用することになる。この例のマシン・アドレスは、ファイルが置かれているコンピュータまたはデバイスについてのドメイン名である。
【００３８】
ＷＡＮ。インターネット等のワイド・エリア・ネットワーク（Wide Area Network）。
【００３９】
ワールド・ワイド・ウェブ（「ウェブ」）。ここでは、（１）インターネットを介してアクセス可能な、相互にリンクされた、ユーザが見ることができるハイパー・テキスト文書（一般に「ウェブ文書」、「ウェブ・ページ」、「電子ページ」、または「ホーム・ページ」と呼ばれる）の分散された集合、および（２）標準のインターネット・プロトコルを使用してその種の文書に対するユーザ・アクセスを提供するクライアントおよびサーバのソフトウエア・コンポーネントの両方を参照するために使用される。現在のところ、アプリケーションにウェブ文書のロケートおよび獲得を可能にするための主要な標準プロトコルは、ハイパーテキスト・トランスファ・プロトコル（ＨＴＴＰ）であり、電子ページは、ハイパーテキスト・マークアップ言語（ＨＴＭＬ）を使用してエンコードされている。しかしながら、用語「ワールド・ワイド・ウェブ」および「ウェブ」には、ハイパーテキスト・マークアップ言語（ＨＴＭＬ）およびハイパーテキスト・トランスファ・プロトコル（ＨＴＴＰ）の代わりに、またはそれらに追加して使用される可能性のある将来的のマークアップ言語およびトランスファ・プロトコルを包含することが意図されている。
【００４０】
ここで図１の本発明の好ましい実施態様に従った本システムに使用されるインターネット通信の略図的な全体図を参照すると、本発明は、好ましくは、インターネット１０７を介してユーザ１１８、１２０、１２２、およびｎｎｎに接続されるウェブ・サーバ１０１を包含する。ウェブ・サーバ１０１は、好適にはコンピュータ・システム１０８を包含し、一方、コンピュータ・システム１０８は入力および出力デバイスを包含する。たとえばコンピュータ・システム１０８は、ディスプレイ・スクリーンまたはモニタ１０４、キーボード１１６、プリンタ１１４、マウス１０６等を好適に包含する。コンピュータ・システム１０８は、さらに、本発明の好ましい実施態様を構成するデータおよびソフトウエアをストアするためのデータベース１０２を好適に包含する。コンピュータ・システム１０８は、好ましくはインターネット１０７に接続され、インターネット１０７は、現在のところ好ましい通信メディアとして機能し、好ましいプロトコルとしてｈｔｔｐ（ハイパーテキスト・トランスポート・プロトコル）を使用する。インターネット１０７は、公衆および専用のネットワークおよびコンピュータのグローバル・ネットワークを構成する。インターネット１０７は、本発明の好ましい実施態様におけるユーザ１１８、１２０、１２２、およびｎｎｎによる好ましい接続方法である。
【００４１】
図２の本発明の好ましい実施態様に従った本システムのウェブ・サイト・サーバとユーザの間の関係の簡略化された機能図的な全体図を参照すると、好ましくは、（１以上の）登録済みユーザ２０２がインターネット・エクスプローラ等のウェブ・ブラウザを使用し、インターネット１０７の使用を通じてウェブ・サーバ１０１に接続する。接続されると、登録済みユーザ２０２は、ログインし、利用可能な機能の使用を開始する。同様に、（１以上の）未登録ユーザ２０３は、インターネット・エクスプローラ等のウェブ・ブラウザを使用し、インターネット１０７の使用を通じてウェブ・サーバ１０１に接続する。接続されると、未登録ユーザ２０３は、登録して会員になることが好適に奨励される。好ましくは、未登録ユーザ２０３が登録する必要はないが、それを行うまで、登録済みユーザ２０２に利用可能なすべての機能を使用することができない。同様にウェブ・サイト３０１上における広告を希望している（１以上の）広告主２０５が、インターネット・エクスプローラ等のウェブ・ブラウザを好適に使用し、インターネット１０７の使用を通じてウェブ・サーバ１０１に接続し、自分たちの広告をセットアップし、維持する。最後に、ウェブ・サイト・マネージャ２０１もまた、インターネット・エクスプローラ等のウェブ・ブラウザを好適に使用し、インターネット１０７の使用を通じてウェブ・サーバ１０１に接続し、ウェブ・サイト３０１の運用および維持を行う。
【００４２】
図３、すなわち図１の好ましい実施態様に従ったウェブ・サーバ１０１と引き合わせウェブ・サイト３００およびその主要機能の間の関係の簡略化された機能図的な全体図を参照すると、ウェブ・サイト３００の実質的にすべての機能コンポーネントおよび引き合わせデータベース３２０がウェブ・サーバ１０１上に好適に常駐している。機能コンポーネントのユーザ登録およびログイン３０１は、登録済みユーザ２０２のためのログイン機能、未登録ユーザ２０３のための登録プロセスを好適に包含する（図６、図７、および図８参照）。
【００４３】
機能コンポーネントのユーザ・プロファイル３０２は、登録済みユーザ２０２が自分たちのプロファイル情報を作ること、または更新することを可能にする。好ましくは、未登録ユーザは、個人として、カップルとして、チームとして登録した後にプロファイル情報を完成すること、および親として自分の子供のプロファイルを完成することができる。（図９、図１０、図１１、および図１２参照）（少なくともここは、前記少なくとも１個の第１の参加者および前記少なくとも１個の第２の参加者のうちの少なくとも１個は少なくとも１個のチームを構成する、を実現しており、かつ少なくともここは、前記少なくとも１個の第１の参加者および前記少なくとも１個の第２の参加者のうちの少なくとも１個は少なくとも１個のカップルを構成する、を実現している）。好ましくは登録済みユーザ２０２が、自分のプロファイル情報の更新にもユーザ・プロファイル３０２を使用する。この明細書の教示を読めば、当業者はここで、適切な状況の下に、ユーザの好み、競争の必要条件等といった問題を考慮し、サーチ可能な実体（entity）等の値が入力され、ストアされて、登録済みユーザと関連付けできること、実体を雇用者、会社、スポーツ・クラブ、ホテル、フィットネス・センタ、またはほかの組織等とできること理解するであろう。
【００４４】
広告主セットアップ３０３は、新しい広告主アカウントの設定、既存の広告主アカウントの更新、および開催場所のディレクトリ（プレイヤーズ・ガイド）の一部として引き合わせウェブ・サイト３００上において表示されることになる広告情報の作成および修正に好適に使用される。好ましくは広告主セットアップ３０３が、ヘルプ・インストラクション、よくある質問のリスト、および広告プランの費用および、ビジネス実体のディレクトリ内における好ましい配置を含めた利益の説明も提供する。好ましくは広告主２０５が、自分のビジネスについての特定の情報、それの場所、および何らかの特別な提案を提供する（図３２、図３３、図３４、および図３５参照）。好ましくは広告主２０５が、広告主独自のディレクトリ・リスティングを作成でき、その後、クレジット・カードまたはそのほかの形式のインターネット‐ベースの支払い、たとえばペイパル（Ｐａｙ‐Ｐａｌ）を使用した必要な支払いを行うことによってチェックアウトする。好ましくは支払いが行われ、提出され、承認された後、広告がウェブ・サイト管理者によって検討される（図４２参照）。好ましくは、広告が承認されると、ウェブ・サイト管理者は、広告が広告主２０５によって要求されたとおりにディレクトリ内に掲げられることを許可する。好ましくは広告主２０５が、承認済みのディレクトリ・リスティング（広告）を再検討し、ディレクトリ・リスティングのいくつかまたは全部の変更または削除を行うことができる（図４３参照）（少なくともここは、前記支払いを受け取るステップの後、前記少なくとも１つのウェブ・サイト広告を承認するステップを実現しており、かつ少なくともここは、前記承認した前記少なくとも１つのウェブ・サイト広告を表示するステップを実現している）。
【００４５】
引き合わせ要求３０４は、登録済みユーザ２０２によって、スポーツまたは社交イベントのために特定の場所および時間において別の登録済みユーザ２０２と出会う提案を作り出し、ストアするために好適に使用される（少なくともここは、提案イベント情報をサーチ可能にストアするための、前記提案イベント情報が、少なくとも、少なくとも１つのタイプの提案合同イベント、前記提案合同イベントのための少なくとも１つの提案地理的エリア、および前記少なくとも１つの提案合同イベントのための少なくとも１つの提案時間評価基準、を包含するコンピュータ・データベース手段を実現しており、かつ少なくともここは、前記少なくとも１つの提案合同イベントについて前記少なくとも１個の第１の参加者のためにデータベース入力を可能にするためのコンピュータ・インターフェース手段を実現しており、かつ少なくともここは、前記少なくとも１つのタイプの提案合同イベントは、少なくとも１つのスポーツ・イベントを包含する、ことを実現している）。図１３に示されているとおり、好ましくは登録済みユーザ２０２によってなされた以前の引き合わせ要求が、引き合わせ要求ダイアログ１３０２の下の引き合わせ要求スケジュール１３０１内にリストされる。好ましくは、登録済みユーザ２０２が、自分のプロファイル内にないスポーツ／活動について引き合わせ要求ダイアログ１３０１を完成するとき、図１４内に例示されているとおり、スポーツ／活動追加注意１４０１が呈示される（少なくともここは、前記少なくとも１個の第１の参加者のために前記コンピュータ・データベースから前記提案イベント情報を検索するためのコンピュータ処理手段を実現している）。好ましくは登録済みユーザ２０２が、引き合わせ要求スケジュール１３０１内に示される任意の引き合わせ要求を削除できる。
【００４６】
好ましくは機能、引き合わせサーチ３０５が、図２４に示されているとおり、スポーツ／イベント、時間枠、および場所をはじめ、選択された個人的な、年齢、性別、および結婚状態を含めた評価基準を含む引き合わせ評価基準を入力する能力を登録済みユーザ２０２に提供し、その後、その評価基準に整合する引き合わせ要求を入力したすべての登録済みユーザ２０２について引き合わせデータベース３２０をサーチする（少なくともここは、前記少なくとも１つの提案合同イベントの提案される整合のための前記少なくとも１個の第２の参加者の第１のサーチ可能な評価基準のために入力を可能にするためのコンピュータ・インターフェース手段を実現しており、かつ少なくともここは、前記コンピュータ・データベース手段から前記第１のサーチ可能な評価基準に整合する前記提案イベント情報を検索するためのコンピュータ処理手段を実現している）。ここで用いる場合、時間枠は、特定の日にちおよび時刻、日にちの範囲、時刻の範囲、または１以上の特定の曜日を言うことができる。図２５は、入力された評価基準に適合する引き合わせ要求の例を提供している。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等のほかの選択の取り決めを充分とし得ること理解するであろう。この明細書の教示を読めば、当業者はここで、適切な状況の下に、ユーザの好み、競争の必要条件等といった問題を考慮し、雇用者、会社、ホテル、スポーツ・クラブ、フィットネス・センタ、またはほかの組織等の実体の値をサーチ可能に登録済みユーザと関連付けできること、およびサーチ評価基準として使用できること理解するであろう。好ましくはサーチ結果が、図２５のトップに示されているとおり、希望された習熟レベルによって絞り込まれる。好ましくは、その後、登録済みユーザ２０２が、サーチ評価基準に整合している引き合わせ要求を行った各登録済みユーザ２０２のプロファイル（図１９参照）および写真（図２１参照）を見ることができる。登録済みユーザ２０２の間の会話が、その後、Ｅメール（図２２参照）、インスタント・メッセージング（ＩＭ）（図２３参照）、またはディジタル携帯電話ベースのテキスト・メッセージング（ＳＭＳメッセージング）（図４１参照）を使用して開始され、スポーツまたは社交イベントのために会うことに同意する。
【００４７】
好ましくは、会員サーチ３０６が、図１６に示されているとおり、登録済みユーザ２０２が会員評価基準を使用して引き合わせデータベース３２０をサーチすることを可能にする。好ましくは、独身者、カップル、またはチームについてサーチを行うことができる。サーチ基準に整合した会員は、図１８に示されているとおり、閲覧のためにリストされる。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等のほかの選択の取り決めを充分とし得ること理解するであろう。好ましくは、プロファイル（図１９参照）および写真（図２１参照）を登録済みユーザ２０２が閲覧することが許される。登録済みユーザ２０２の間の会話が、その後、Ｅメール（図２２参照）、インスタント・メッセージング（ＩＭ）（図２３参照）、またはディジタル携帯電話ベースのテキスト（ＳＭＳ）メッセージング（図４１参照）を使用して開始される。好ましくは登録済みユーザ２０２が、サーチ評価基準に整合する子供がいる独身者またはカップルのリストを返すことになる、子供についてのサーチ（図１７参照）を行うこともできる。好ましくは登録済みユーザ２０２が、図１５に示されているとおりスクリーン・ネームだけを使用して会員についてのサーチも行うことができる。
【００４８】
本発明の代替の好ましい実施態様によれば、入力した引き合わせ情報がサーチ評価基準に整合する会員についてすべての会員の画像を表示する代替サーチ結果（図３９参照）を登録済みユーザ２０２に呈示できる。好ましくは、登録済みユーザ２０２がカーソルを各画像の上に移動すると、その会員に関係するプロファイル情報が表示されることになる。好ましくは、登録済みユーザ２０２が「能力レベル」バーをスライドすると、各会員の能力等に応じていくつかの画像が溶暗または溶明する。これらの変更はすべて登録済みユーザ２０２のためのサーチの速度および効率に影響することになる。
【００４９】
ディレクトリ・サーチ３０７は、登録済みユーザ２０２が、希望するスポーツまたは社交イベントを行うことが可能な場所を識別し、選択することを好適に可能にする。図２９に示されているとおり、登録済みユーザ２０２は、ビジネス名によってサーチすること、またはあるカテゴリ内のビジネス実体のリストを要求することができる。図３０は、「ジム」カテゴリ内におけるサーチの結果の例を提供する。好ましくは登録済みユーザ２０２が、その後ビジネス実体についてさらに詳細に見ること、または図３１に示されているとおり、地図または運転の道順を要求することができる。
【００５０】
機能コンポーネントのショッピング３０８は、図３６および図３７に示されているとおり、登録済みユーザ２０２がオンライン小売業者を識別し、選択することを好適に可能にする。図３７に示されているとおり、好ましくは登録済みユーザ２０２が、希望するオンライン小売業者に対するリンクを選択し、しばしば値引き価格で購入を行うことができる。好ましくは、値引き価格が、会員の恩典として登録済みユーザ２０２だけに利用できる。
【００５１】
機能コンポーネントのオンライン・フォーラム３０９は、登録済みユーザ２０２に利用可能なオンライン・チャット、１つまたは複数のブログ、およびオンライン・フォーラム／掲示板を好適に構成する。図２２は、好ましいＥメール・メッセージ・スクリーンの例を示している。図２３は、好ましいインスタント・メッセージ・スクリーンの例を示す。図２８は、掲示板への新しいメッセージの投稿に使用される好ましいスクリーンの例を提供する。図３８は、好ましいチャット・スクリーンの例を図解している。
【００５２】
機能コンポーネントの掲示板サーチ３１０は、図２６に示されているとおり、登録済みユーザ２０２が、サーチ指定評価基準に適合する掲示板のメッセージに投稿されたメッセージをサーチすることを好適に可能にする。好ましくはサーチ・プロセスが、引き合わせデータベース３２０のプロファイル部分のサーチおよび掲示板メッセージのテキスト整合サーチを組み合わせる。この明細書の教示を読めば、当業者はここで、適切な状況の下に、サーチ評価基準の部分的な整合の必要性等といった問題を考慮して、たとえば部分的な、または概略の整合等のためのヒューリスティックな選択方法の使用等のほかの選択の取り決めを充分とし得ること理解するであろう。好ましくは、サーチ評価基準に整合するすべての掲示板メッセージが図２７に示されているとおりに表示される。
【００５３】
機能コンポーネントのＥメール／ＩＭ  ３１１は、登録済みユーザ２０２間におけるＥメールおよびインスタント・メッセージのサポートに必要な機能を好適に提供する。加えて好ましい機能には、登録済みユーザ２０２による、実際のＥメール・アドレスまたはインスタント・メッセージのハンドル・ネームではなくスクリーン・ネームの使用が含まれる。
【００５４】
機能コンポーネントのアフィリエイト３１２は、アフィリエイト・ウェブ・サイトから差し向けられ、その後登録済みユーザ２０２になる来訪者の追跡および計上を好ましく提供する。好ましくはアフィリエイトとなっているウェブ・サイトを運用するビジネス実体が、登録未済ユーザ２０３によって使用されることが可能な引き合わせウェブ・サイト３００に対するリンクを含めることに合意している。好ましくは、アフィリエイト３０９が、登録済みユーザ２０２になった登録未済ユーザ２０３を差し向けた結果として各ビジネス実体に帰する報酬を計算する。
【００５５】
機能コンポーネントのユーザ・アカウント情報３１３は、会費の収集および追跡を含めて会員のデータベースを管理するために必要なすべての管理機能を好ましく包含する。
【００５６】
機能コンポーネントのパートナーのアカウント情報３１４は、アフィリエイト、広告、およびショッピングのパートナーのデータベースを管理するために必要なすべての管理機能を好ましく包含する。好ましくはこれらの機能が、ウェブ・サイト・マネージャ２０１に支払われるべき料金の収集および追跡、および新しい会員の紹介のためにアフィリエイト・パートナーに支払われるべき料金の支払いおよび追跡を好適に含む。
【００５７】
図４、すなわち本発明の好ましい実施態様に従った、本システムおよび方法に関連付けされた主要な実体およびそれらの関係を要約した略図を参照すると、ウェブ・サイト・マネージャ２０１が、ウェブ・サイト・マネージ・ステップ４１０において引き合わせウェブ・サイト３００を設定し、管理する。
【００５８】
好ましくは、広告主関係設定ステップ４１２において、ウェブ・サイト・マネージャ２０１が、スポーツおよび社交イベントのための開催場所のディレクトリ（プレイヤーズ・ガイド）内にリストされる機会を提案する。好ましくは広告主２０５が、広告主セットアップ３０３を使用して、提案されたプランの１つを選択し、ディレクトリ・エントリを完成し、支払い方法をセットアップする。好ましくは各広告主２０５が、広告主２０５に値引きされた広告料金およびそのほかの恩典を受ける資格が好適に与えられるアフィリエイト４０４になる機会も有する。広告主２０５は、ゴルフ・コース、テニス・クラブ、健康クラブ、マーシャルアーツ・スタジオ、ペイントボール施設等のスポーツ開催場所、またはスポーツ・イベントのための開催場所を提供するそのほかの場所を好適に包含する。加えて広告主２０５は、映画館、レストラン、キャンプ場、およびホテル等の社交開催場所を好適に包含する。そのほかに広告主２０５は、スポーツ、運動、および社交活動をサポートするサービスおよび製品を提供するビジネスを好適に包含する。
【００５９】
好ましくはウェブ・サイト・マネージャ２０１が、広告主２０５またはホテル、レストラン、およびクラブを含む開催場所と選択的に接触し、テニス・トーナメント、ブリッジ・トーナメント、および類似の競技等のスポーツおよび社交イベントを提供し、運営する。続いて、好ましくはウェブ・サイト・マネージャ２０１が、計画したトーナメントを、引き合わせデータベース３２０内の選択された会員、たとえば計画されたスポーツまたは社交イベントに興味を示した会員、に向けられるＥメールを介して促進する。好ましくは、ウェブ・サイト・マネージャ２０１が、計画されたイベントのための予約および参加料の支払いを受け入れる。
【００６０】
好ましくは小売業者関係設定ステップ４１４において、ウェブ・サイト・マネージャ２０１が小売業者４０５に、登録済みユーザ２０２が小売業者４０５から製品およびサービスを購入することを可能にするウェブ・サイト・リンクを提供する。また小売業者４０５は、登録済みユーザ２０２に、自社の製品またはサービスのいくつかまたはすべての値引きを好適に提案する。この意図は、要約すると、小売業者４０５でのショッピングにおける興味の増加を利用することであり、続いて来訪者が登録済みユーザ２０２になる動機を提供することである。
【００６１】
好ましくは、アフィリエイト関係設定ステップ４１６においてウェブ・サイト・マネージャ２０１が、アフィリエイト４０４のウェブ・サイトから引き合わせウェブ・サイト３００に来て登録済みユーザ２０２になった各来訪者について各アフィリエイト４０４に手数料を提供する。好ましくは各アフィリエイト４０４が、自分のウェブ・サイト上にリンクを配置して引き合わせウェブ・サイト３００を促進することに合意する。前述したとおり、アフィリエイト４０４は、広告主２０５となって開催場所のディレクトリ内にエントリを配置するための費用の割引を受け取ることができる。アフィリエイト４０４は、広告主２０５となり得る事業者と同じ事業者を好適に包含するが、それにくわえてプロ及びアマチュアのスポーツ・イベントの両方に充てられたウェブ・サイトを好適に包含する。加えてアフィリエイト４０４は、栄養および機能向上製品に焦点が当てられたウェブ・サイトを好適に包含する。
【００６２】
好ましくは旅行関係設定ステップ４３１においてウェブ・サイト・マネージャ２０１が好適に手配を行って、冒険旅行およびツアー・オペレータ４３０によって提案される国内および海外の製品およびサービスを促進し、宣伝する。好ましくはウェブ・サイト・マネージャ２０１が、続いて、宣伝した製品およびサービスを利用する会員に関する紹介料または手数料、及び、オプションとして引き合わせウェブ・サイト３００上に紹介した広告に関連付けされた広告料を受け取る。
【００６３】
好ましくはＴＶ関係設定ステップ４３６においてウェブ・サイト・マネージャ２０１が、ＴＶプロデューサ４３５とともに手配を行って、国内および国際試合のために引き合わせデータベース３２０内の会員から選択された競争者を利用することに向けられた少なくとも１つの「現実」のテレビジョン番組を促進し、宣伝する。好ましくは続いてその実際のテレビジョン番組が、会員（独身者、カップル、およびチーム）だけが引き合わせデータベース３２０内の会員から選択されることを促進する。好ましくはウェブ・サイト・マネージャ２０１が、続いて会員の登録の増加、したがって引き合わせデータベース３２０内の実質的な会員数の増加を受け取り、それもまた引き合わせウェブ・サイト３００内の、およびそれを通じて提案されるほかのサービスおよび製品の需要を増加する。
【００６４】
好ましくはウェブ・サイト・マネージャ２０１が、引き合わせデータベース３２０内にストアされている登録済みユーザ２０２を、あらゆる種類のスポーツ／活動におけるトーナメントを宣伝し、組織するためのソースとして利用する。広告主２０５（テニス・クラブ、ゴルフ・クラブ等）は、全世界を通じ、地元地域内において、ウェブ・サイト・マネージャ２０１によって供給される特定の賞品を用いて好適に主催および運営を行う。好ましくは、第１ラウンドのトーナメントの勝利者が、その後、第２ラウンドのトーナメントで試合する資格を有するというように最終的な決勝戦まで続く。好ましくはＴＶプロデューサ４３５が、フォックス・スポーツ（ＦＯＸ  Ｓｐｏｒｔｓ）のようにウェブ・サイト・マネージャ２０１のビジネス・パートナーとして、トーナメントのラウンドの間に撮影隊を種々の現場に派遣し、タレント番組のアメリカン・アイドル（Ａｍｅｒｉｃａｎ  Ｉｄｏｌ）がオーディションで行っているように参加者、試合等のインタビューおよびそのほかの場面を撮影する。その後、最終的な決勝戦が、ＴＶプロデューサ４３５によって放映される実際のテレビジョン番組の核心的内容になる。恩典は、ウェブ・サイト・マネージャ２０１が、広告主２０５に収益および新しい会員をもたらすことからトーナメントの開催をビジネスとする広告主２０５（アスレチック・クラブ施設等）を全国規模で使用可能なことである（好ましくはウェブ・サイト・マネージャ２０１がすべてのトーナメントの参加者を登録し、オンラインで料金を収集する）。またこれらの広告主２０５（アスレチック・クラブ）は、ＴＶプロデューサ４３５の撮影隊が広告主２０５を尋ね、トーナメントの場面を収集することによってより多くの露出を提供できることからウェブ・サイト・マネージャ２０１のトーナメントの開催のために実際に競争することになる。年間を通じて継続的に運営されるトーナメントは、最終的な実際のテレビジョン番組のための真の予選および資格付与プロセスである。それらが宣伝されるとき、トーナメントの参加者が登録済みユーザ２０２でなければならないことから、また多くの人々が実際のテレビジョン番組に出たいと欲しており、その種の機会のためにウェブ・サイト・マネージャ２０１の地域的なトーナメントにもっとも登録しがちであることから、それらが新しい会員をウェブ・サイト・マネージャ２０１に引き込むことになる。
【００６５】
好ましくは、サプライヤ関係設定ステップ４５０においてウェブ・サイト・マネージャ２０１が、ウェブ・サイト・マネージャ２０１による小売りのために製品を提供する少なくとも１つの製品サプライヤ４５１を手配する。好ましくは引き合わせウェブ・サイト３００が、提案された製品を登録済みユーザ２０２が購入し、支払いを行うために必要な電子商取引機能を提供する。好ましくは提案される製品が、概して健康およびフィットネスに関連付けされた栄養製品を包含する。この明細書の教示を読めば、当業者はここで、適切な状況の下に、市場の変化および顧客の需要の変化といった問題を考慮して、ほかのタイプの製品を販売のために提案できることを理解するであろう。たとえば、スポーツ器具、ウエア等の製品で充分であり得ることを理解するであろう。
【００６６】
登録済みユーザ２０２は、引き合わせウェブ・サイト３００へのログインを好適に完了して引き合わせウェブ・サイト使用ステップ４１１を開始する。好ましくは登録済みユーザ２０２が、引き合わせ要求３０４、引き合わせサーチ３０５、会員サーチ３０６、オンライン・フォーラム３０９、掲示板サーチ３１０、およびＥメール／ＩＭ  ３１１を含む、引き合わせウェブ・サイト３００を通じて利用可能なすべての機能に対するアクセスの見返りとして定期的な料金の支払いに合意する。活動場所探しステップ４１３において登録済みユーザ２０２は、広告主サーチ３０７を好適に利用して少なくとも１つの活動場所を探す。商品およびサービス購入ステップ４１５において登録済みユーザ２０２は、ショッピング３０８を好適に利用して希望する製品およびサービスを購入する小売業者を探す。
【００６７】
好ましくは未登録ユーザ２０３が、ユーザ・アクセスおよび登録ステップ４２０によって図解されるとおり、引き合わせウェブ・サイト３００を直接訪問し、ユーザ登録およびログイン３０１を完了し、かつ定期的な料金の支払いに合意することによって会員になることができる。
【００６８】
好ましくはアフィリエイト・ウェブ・サイト訪問ステップ４２１において、未登録ユーザ２０３が、引き合わせウェブ・サイト３００についての情報および引き合わせウェブ・サイト３００に対するリンクを提供するアフィリエイト４０４のウェブ・サイトを訪問する。好ましくは、そのリンクの選択が登録およびログイン３０１を未登録ユーザ２０３に呈示し、詳しくは前述したが、ユーザ・アクセスおよび登録ステップ４２０を開始する。
【００６９】
図５、すなわち本発明の好ましい実施態様に従った、本システムおよび方法において遂行できる主要なステップを要約した略図を参照すると、各来訪者は、引き合わせウェブ・サイト３００の機能を利用するためにプロファイル作成ステップ６０１において登録およびプロファイル作成を行わなければならない。好ましくは新しい会員が、独身、カップル、またはチームのための登録であるか否かを示す登録フォーム（図８）を、フィールド「ユー・アー（Ｙｏｕ  Ａｒｅ：）」を埋めることによって完成すると、続いてそれがユーザを適切なプロファイル・フォーム（図９、図１１、または図１２）に導き、そこでユーザが、人口学的なデータ（年齢、性別、結婚状態等）、連絡情報（Ｅメール・アドレス等）、およびユーザの好むスポーツ／活動娯楽および関連する習熟レベルを含む少なくとも必須のフィールドを完成する（少なくともここは、前記少なくとも１個の第１の参加者のために、前記少なくとも１つのタイプの提案合同イベントの少なくとも１つの第１の習熟レベルのデータベース入力を可能にするためのコンピュータ・インターフェース手段を実現しており、少なくともここは、参加者個人プロファイル情報をサーチ可能にストアするための、前記参加者個人プロファイル情報が、少なくとも、少なくとも１つの一意的な識別子、前記少なくとも１つのタイプの前記提案合同イベント、前記少なくとも１つのタイプの提案合同イベントの少なくとも１つの第１の習熟レベルの事物、人口学的情報、連絡情報を包含するコンピュータ・データベース手段を実現しており、かつ少なくともここは、前記少なくとも１個の第１の参加者の前記参加者個人プロファイル情報のためのデータベース入力のためのコンピュータ・インターフェース手段を実現しており、少なくともここは、前記個人プロファイル情報が、さらに、子供の情報、参加者の背景情報、個人的特徴の情報、好きな食べ物の情報、好みの音楽の情報、および少なくとも１つの画像のうちの少なくとも２つを包含することを実現している）。好ましくは各登録済みユーザ２０２が、１を超える数のスポーツ／活動娯楽を有することができる。好ましくは登録済みユーザ２０２が、その後、会員エリア（図１５、図１６、図１７、および図２４）に入り、会員および競技のサーチを開始する。好ましくは登録済みユーザ２０２が引き合わせウェブ・サイト３００を最初にログアウトするとき、当該ユーザは、加入Ｅメールを受信してそのＥメール内のリンクをクリックすることによって会員としての地位をアクティベートするまで再びログインできない。登録済みユーザ２０２が初期化Ｅメールを受信する前にログインを試みると、サイトが別のアクティベーションＥメールを送出するボタンを自動的に提供し、登録済みユーザ２０２には、そのＥメールを探してＥメール内のリンクをクリックすることによって自分の会員としての地位をアクティベートするように指示される。登録済みユーザ２０２が自分の会員としての地位をアクティベートすれば、登録済みユーザ２０２は、ログインし、すべてのサーチボックスを介して、性別、年齢、実施するスポーツ、および能力のレベルによって細分された成人会員、引き合わせ要求、スクリーン・ネームによる���員、および子供のいる成人のサーチを開始することができる（図１５、図１６、図１７、および図２４）。好ましくは登録済みユーザ２０２が、有料会員になるまでほかの会員との接触または引き合わせ要求を行うことができない（図１３）。
【００７０】
図示されているとおり、好ましくは第１の会員が引き合わせ情報を入力するステップ６０２において登録済みユーザ２０２が、有料会員として、特定の都市で、特定の日に、特定のスポーツ／活動において、特定の性別、結婚状態、カップルまたはチームの、特定の習熟レベルを有する他者との競技を行う公開された要求（提案）である少なくとも１つの引き合わせ要求を行う（図１３および図１４）。図示されているとおり、登録済みユーザ２０２は、希望する曜日チェックボックス１３０３を選択することによって曜日についての優先度を示すことができる。好ましくは曜日チェックボックス１３０３の使用が、曜日によるサーチを可能にする。好ましくは、スポーツ／活動引き合わせ要求（提案）が、任意の時間および場所ベースのイベント、たとえばゴルフのラウンドのプレイ、つり、スポーツ・イベントの観賞、映画を見に行くこと、または食事を含む。
【００７１】
少なくとも１つの引き合わせ要求が引き合わせデータベース３２０に投函されると、第２の会員が引き合わせデータベースをサーチするステップ６０３内に示されているとおり、好ましくは別の登録済みユーザ２０２が自分の評価基準に整合する引き合わせをサーチすることができる。好ましくは、その登録済みユーザ２０２が、引き合わせサーチ・スクリーン（図２４）を使用して引き合わせデータベース３２０のクエリを行う。好ましくは、そのサーチ評価基準を満たす引き合わせ要求に関連付けされたすべての会員プロファイルがサーチ結果スクリーン（図２５）内に示される（少なくともここは、前記コンピュータ・データベース手段から前記第２のサーチ可能な評価基準に整合する前記提案イベント情報を検索するためのコンピュータ処理手段を実現している）。示されているとおり、登録済みユーザ２０２は、その後、習熟レベル・ドロップダウン２５０１から習熟レベルを選択することによって、表示された引き合わせ要求をふるい分けることができる（少なくともここは、前記少なくとも１つのタイプの提案合同イベントの前記少なくとも１つの習熟レベルとの提案される整合のための前記少なくとも１個の第２の参加者の少なくとも１つの第２のサーチ可能な評価基準のために入力を可能にするためのコンピュータ・インターフェース手段を実現している）。
【００７２】
登録済みユーザ２０２が、整合する引き合わせ要求を伴う会員のリストされたプロファイルが望ましいと決定すると、第２の会員が第１の会員と接触するステップ６０４において、好ましくは登録済みユーザ２０２が、会員プロファイル・スクリーン（図１９）上で会員のプロファイルの詳細を調べる（要求する）。選択された会員がまだ望ましい場合には、登録済みユーザ２０２が（有料会員として）、会員プロファイル・スクリーン上の適切なリンクを選択することによってインスタント・メッセージング（図２３）、Ｅメール（図２２）、ディジタル携帯電話ベースのテキスト・メッセージング（ＳＭＳメッセージング）（図４０および図４１参照）、チャット・ルーム・システム（図３８）、または掲示板システム（図２８）を経由して相手の会員と接触できる（少なくともここは、前記少なくとも１個の第２の参加者の前記少なくとも１個の第１の参加者との連絡を援助するためのコンピュータ処理手段を実現している）。好ましくは、あらゆる場合において会員間の通信が、自分たちの実際のＥメール・アドレスまたは携帯電話番号ではなく「スクリーン・ネーム」を使用して自分たちのプライバシーを保護し、安全性を確保する（少なくともここは、前記第２の参加者に対する前記第１の参加者の第１の連絡情報の非開示を援助するためのコンピュータ処理手段を実現しており、少なくともここは、前記第１の参加者に対する前記第２の参加者の第２の連絡情報の非開示を援助するためのコンピュータ処理手段を実現しており、かつ少なくともここは、前記少なくとも１個の第２の参加者の前記少なくとも１個の第１の参加者との連絡を援助するステップがディジタル携帯電話上のテキスト・メッセージングを用いて達成される、を実現している）。
【００７３】
引き合わせウェブ・サイト３００のビジネス上の利点は、登録済みユーザ２０２が即座に（好ましくは１クリックで）、登録済みユーザ２０２が探している主要な対象、すなわち「人」を探せることである。統計は、引き合わせウェブ・サイト３００上において登録済みユーザ２０２が探し物を早く見つけることができるほど、引き合わせウェブ・サイト３００がより成功しやすいことを示している。
【００７４】
好ましくは現在の引き合わせウェブ・サイト３００が、可能な限り限定されたコンピューティング・リソースを使用し、かつ引き合わせを行うプロセスを開始する１より多くの方法を提供して迅速に登録済みユーザ２０２を互いに結びつけ、その後、登録済みユーザ２０２が、その先の互いの通信を行うことを選んだのであれば、自分たちのコンピュータ・リソースを使用してそれを行う。
【００７５】
両方の登録済みユーザ２０２が競技のために会うことに合意した後は、場所が決定されなければならない。場所を見つけなければならない場合に登録済みユーザ２０２は、イベント場所のサーチ・ステップ６０５において、開催場所のディレクトリ（プレイヤーズ・ガイド）を好適にサーチして利用可能な種々の場所についての情報を調べる。図２９に示されているとおり、登録済みユーザ２０２は、ビジネスの名前またはカテゴリによってサーチすること、またはそれらの表示からカテゴリを選択することができる。結果としてもたらされる開催場所のリストは、サーチ評価基準に適合するディレクトリのエントリのリスティング内に示される（図３０）。
【００７６】
説明および連絡情報の獲得ステップ６０６において、好ましくはディレクトリ・エントリのうちの１つを選択することが、開催場所についての追加の情報、たとえば費用、予約要件、および運営時間等を呈示する。加えて登録済みユーザ２０２は、登録済みユーザ２０２が図３１に示されているとおりの地図フォームを完成することを可能にする地図リンクを選択することによって地図または運転の道順の獲得を選択することができる。
【００７７】
開催場所を選択した後、登録済みユーザ２０２は、合意した日および時刻に競技を行うために必要な手配を、イベントの促進に広告主を使用するステップ６０７において完成することになる。
【００７８】
競技のためにユーザが会うステップ６０８においては、個人、カップル、またはチームが、場合により会って、計画された活動を履行する。
【００７９】
再度図５を参照するが、第２の会員が会員データベースをサーチするステップ６０９において登録済みユーザ２０２は、会員サーチ・スクリーン、すなわちクイック・サーチ（図１５）、会員サーチ（図１６）、または子供サーチ（図１７）のうちの１つを使用することによって社交的な出会いの目的のために別の登録済みユーザ２０２をサーチできる。好ましくは登録済みユーザ２０２が、独身、カップル、またはチームを含む、提供されているサーチ・フィールドの任意の組み合わせによってサーチできる（少なくともここは、前記個人プロファイル情報の提案される整合のための前記少なくとも１個の第２の参加者の少なくとも１つの第３のサーチ可能な評価基準のために入力を可能にするためのコンピュータ・インターフェース手段を具体化している）。サーチ評価基準に整合するすべての会員が、会員サーチ結果スクリーン（図１８）上に好適に表示される（代替会員サーチ結果スクリーン（図３９参照）も表示されることがある）（少なくともここは、前記コンピュータ・データベース手段から前記第３のサーチ可能な評価基準に整合する前記第１の個人プロファイル情報を検索するためのコンピュータ処理手段を具体化している）。
【００８０】
登録済みユーザ２０２が、リストされた会員は望ましいと決定すると、第２の会員が第１の会員と接触するステップ６１０において、好ましくは登録済みユーザ２０２が、会員プロファイル・スクリーン（図１９）上で選択された会員のプロファイルを調べる。選択された会員がまだ望ましい場合には、登録済みユーザ２０２が（有料会員として）、会員プロファイル・スクリーン上の適切なリンクを選択することによってインスタント・メッセージング（図２３）、Ｅメール（図２２）、テキスト・メッセージング（ＳＭＳメッセージング）（図４０および図４１参照）、チャット・ルーム・システム（図３８）、または掲示板システム（図２８）を経由して相手の会員と接触できる。
【００８１】
両方の登録済みユーザ２０２が社交的に会うことに合意した後は、場所が決定されなければならない。場所を見つけなければならない場合に登録済みユーザ２０２は、イベント場所のサーチ・ステップ６０５において、開催場所のディレクトリ（プレイヤーズ・ガイド）を好適にサーチして利用可能な種々の場所についての情報を調べる。図２９に示されているとおり、登録済みユーザ２０２は、ビジネスの名前またはカテゴリによってサーチすること、またはそれらの表示についてカテゴリを選択することができる。結果としてもたらされる開催場所のリストは、サーチ評価基準に適合するディレクトリのエントリのリスティング内に示される（図３０）。
【００８２】
説明および連絡情報の獲得ステップ６０６において、好ましくはディレクトリ・エントリのうちの１つを選択することが、開催場所についての追加の情報、たとえば費用、予約要件、および運営時間等を呈示する。加えて登録済みユーザ２０２は、登録済みユーザ２０２が図３１に示されているとおりの地図フォームを完成することを可能にする地図リンクを選択することによって地図または運転の道順の獲得を選択することができる。
【００８３】
開催場所を選択した後、登録済みユーザ２０２は、合意した日および時刻に社交的に会うために必要な手配を、イベントの促進に広告主を使用するステップ６０７において完成することになる。
【００８４】
場所の選択および手配に続いて、会員が会うステップ６１１に示されているとおり、個人、カップル、またはチームが場合に応じて会う。
【００８５】
再度図５を参照するが、第１の会員が掲示板のエントリに投稿するステップ６１２に示されているとおり、登録済みユーザ２０２は、掲示板にメッセージを投稿することができる。好ましくは、登録済みユーザ２０２が掲示板（図２８）への投稿を行うことを決定すると、そのユーザのメッセージがリンクによって自分の個人的なプロファイルと自動的に関連付けされ、その結果、掲示板のメッセージの読者が、リンクをクリックしてそのメッセージを投稿した登録済みユーザ２０２のプロファイルを読むことができる（少なくともここは、少なくとも１つの掲示板投稿をサーチ可能にストアするためのコンピュータ・データベース手段を実現しており、少なくともここは、前記少なくとも１つの掲示板投稿について前記少なくとも１個の第１の参加者のための入力のためのコンピュータ・インターフェース手段を実現しており、かつ少なくともここは、前記少なくとも１つの前記掲示板投稿と前記少なくとも１個の第１の参加者を関連させるためのコンピュータ処理手段を実現している）。好ましくは、掲示板のメッセージを、スポーツ／活動の競技のセットアップの援助、または単なるアナウンスに使用することができる。
【００８６】
第２の会員が掲示板をサーチするステップ６１３において、登録済みユーザ２０２は、図２６に示されるとおり、サーチ評価基準を好適に使用して掲示板をサーチすることができる（少なくともここは、前記第４のサーチ可能な評価基準は、少なくとも１つのタイプの提案合同イベント、前記提案合同イベントのための少なくとも１つの提案地理的エリア、および前記少なくとも１つの提案合同イベントのための少なくとも１つの提案時間評価基準を包含する、を実現している）。好ましくは、入力されたサーチ評価基準が、会員プロファイルおよび掲示板メッセージ両方を通じた組み合わせのサーチに使用されて要求を完成することになる（少なくともここは、前記個人プロファイル情報との提案される整合のための前記少なくとも１個の第２の参加者の少なくとも１つの第４のサーチ可能な評価基準のために入力を可能にするためのコンピュータ・インターフェース手段を実現している）。図２７に示されているとおり、サーチ結果は、サーチ評価基準に整合するすべてのメッセージのリストを好適に表示する（少なくともここは、前記第４のサーチ可能な評価基準に整合する前記個人プロファイル情報に関連付けされた前記少なくとも１つの掲示板投稿を検索するためのコンピュータ処理手段を実現している）。登録済みユーザ２０２は、プロファイル・ボタンおよび／または写真ボタンを選択することによって、メッセージを投稿した登録済みユーザ２０２のプロファイルを見ることができる。加えて登録済みユーザ２０２は、Ｅメール・ボタンを選択することによってその個人に接触できる。
【００８７】
図５を参照すると、小売業者へのリンクを選択するステップ６１４において、登録済みユーザ２０２は、製品またはサービスの購入のためにオンライン小売業者をサーチできる。サーチのための好ましい方法は図３６および図３７に示されている。好ましくは登録済みユーザ２０２が、会員が製品およびサービスを購入するステップ６１５に示されているとおり、希望する小売業者４０５に対するリンクを選択し、小売業者４０５のウェブ・サイトを通じて購入を行う。
【００８８】
出願人は出願人にとっての本発明の好ましい実施態様を述べたが、本発明のもっとも広い範囲が多様な形状、サイズ、および材料といった変更を含むことが理解されるであろう。その種の範囲は、上記の明細書とともに読まれる特許請求の範囲によってのみ限定される。
【００８９】
さらに、出願人の発明のほかの多くの利点は、上記の明細書および特許請求の範囲から当業者には明らかとなろう。
【図面の簡単な説明】
【００９０】
【図１】本発明の好ましい実施態様に従った本システムに使用されるインターネット通信の略図的な全体図である。
【図２】本発明の好ましい実施態様に従った本システムのウェブ・サイト・サーバとユーザの間の関係の簡略化された機能図的な全体図である。
【図３】図１の好ましい実施態様に従ったウェブ・サーバとウェブ・サイトおよびその主要機能の間の関係の簡略化された機能図的な全体図である。
【図４】本発明の好ましい実施態様に従った本システムおよび方法に関連付けされた主要な実体およびそれらの関係の要約図である。
【図５】本発明の好ましい実施態様に従った本システムおよび方法において遂行できる主要なステップの要約図である。
【図６】本発明の好ましい実施態様に従った、来訪者に呈示されるウェブ・サイトのホーム・ページ・スクリーンについての例を示した説明図である。
【図７】本発明の好ましい実施態様に従った、会員のログイン後に表示されるウェルカム・スクリーンの例を示した説明図である。
【図８】本発明の好ましい実施態様に従った、新しい会員の登録に使用される会員登録スクリーンの例を示した説明図である。
【図９】本発明の好ましい実施態様に従った、新しい独身会員によって完成される独身会員プロファイル・スクリーンの例を示した説明図である。
【図１０】本発明の好ましい実施態様に従った、会員によって使用される自分たちの会員プロファイルに写真を追加するスクリーンの例を示した説明図である。
【図１１】本発明の好ましい実施態様に従った、カップルとして入会する新しい会員によって完成されるカップル会員プロファイル・スクリーンの例を示した説明図である。
【図１２】本発明の好ましい実施態様に従った、チームとして入会する新しい会員によって完成されるチーム会員プロファイル・スクリーンの例を示した説明図である。
【図１３】本発明の好ましい実施態様に従った、特定の活動、通常はスポーツ関連の活動のための希望する引き合わせ情報を入力するために会員によって使用される引き合わせ要求スクリーンの例を示した説明図である。
【図１４】本発明の好ましい実施態様に従った、引き合わせの要求時に会員のプロファイルに新しいスポーツ技能が追加されることを気付かせるスクリーンの例を示した説明図である。
【図１５】本発明の好ましい実施態様に従った、会員をスクリーン・ネームによって見つけるために使用されるクイック・サーチ・スクリーンの例を示した説明図である。
【図１６】本発明の好ましい実施態様に従った、会員が特定の属性を伴う会員を探すことを可能にする会員サーチ・スクリーンの例を示した説明図である。
【図１７】本発明の好ましい実施態様に従った、会員が特定の属性のセットを伴う子供を探すことを可能にするキッズ・サーチ・スクリーンの例を示した説明図である。
【図１８】本発明の好ましい実施態様に従った、会員サーチ結果スクリーンの例を示した説明図である。
【図１９】本発明の好ましい実施態様に従った、完成された会員プロファイルの例を示した説明図である。
【図２０】本発明の好ましい実施態様に従った、会員の好みリスト・スクリーンの例を示した説明図である。
【図２１】本発明の好ましい実施態様に従った、会員の写真スクリーンの例を示した説明図である。
【図２２】本発明の好ましい実施態様に従った、会員が互いにＥメールを交わすことを可能にするＥメール・スクリーンの例を示した説明図である。
【図２３】本発明の好ましい実施態様に従った、会員が互いにメッセージを交わすことを可能にするインスタント・メッセージング・スクリーンの例を示した説明図である。
【図２４】本発明の好ましい実施態様に従った、所望の引き合わせ情報を入力した会員を探すための引き合わせサーチ・スクリーンの例を示した説明図である。
【図２５】本発明の好ましい実施態様に従った、会員によって入力されたサーチ評価基準に整合する引き合わせ情報を入力した会員についてすべての会員のプロファイル情報を表示するサーチ結果スクリーンの例を示した説明図である。
【図２６】本発明の好ましい実施態様に従った、掲示板に投稿された可能引き合わせ要求を会員が探すことを可能にする掲示板サーチ・スクリーンの例を示した説明図である。
【図２７】本発明の好ましい実施態様に従った、会員のサーチに整合する掲示板投稿の例を示した説明図である。
【図２８】本発明の好ましい実施態様に従った、会員が新しい掲示板投稿を追加することを可能にする掲示板投稿スクリーンの例を示した説明図である。
【図２９】本発明の好ましい実施態様に従った、会員が広告主を探すことを可能にするディレクトリ・サーチ・スクリーンの例を示した説明図である。
【図３０】本発明の好ましい実施態様に従った、会員のサーチ評価基準のための場所リスティング・スクリーンの例を示した説明図である。
【図３１】本発明の好ましい実施態様に従った、選択された広告主の場所までの地図または案内を獲得するための地図要求スクリーンの例を示した説明図である。
【図３２】本発明の好ましい実施態様に従った、見込みのある広告主によって使用される広告主情報スクリーンの例を示した説明図である。
【図３３】本発明の好ましい実施態様に従った、ウェブ・サイト上に情報を載せるために広告主によって使用される最初のサインアップ・スクリーンの例を示した説明図である。
【図３４】本発明の好ましい実施態様に従った、セットアップ・プロセスを通じて広告主を案内するための広告主または場所提供者インストラクション・スクリーンの例を示した説明図である。
【図３５】本発明の好ましい実施態様に従った、広告主のよくある質問に対する回答を提供する広告ヘルプ・スクリーンの例を示した説明図である。
【図３６】本発明の好ましい実施態様に従った、ウェブ・サイトを通じて値引きを提案する小売業者を表示している会員ショッピング機会スクリーンの例を示した説明図である。
【図３７】本発明の好ましい実施態様に従った、ウェブ・サイトを通じて値引きを提案する特定のカテゴリ内の広告主および小売業者を表示している会員ショッピング機会スクリーンの例を示した説明図である。
【図３８】本発明の好ましい実施態様に従った、会員によって双方がオンラインのときにチャットに使用されるチャット・スクリーンの例を示した説明図である。
【図３９】本発明の好ましい実施態様に従った、会員によって入力されるサーチ評価基準と整合する引き合わせ情報を入力した会員についてすべての会員のプロファイル情報を表示する代替サーチ結果スクリーンの例を示した説明図である。
【図４０】本発明の好ましい実施態様に従った、別の会員に対してテキスト（ＳＭＳ）メッセージング・スクリーンを介して送信することができる会員プロファイルの例を示した説明図である。
【図４１】本発明の好ましい実施態様に従った、会員が互いにテキスト（ＳＭＳ）メッセージを交わすことを可能にするテキスト（ＳＭＳ）メッセージ・スクリーンの例を示した説明図である。
【図４２】本発明の好ましい実施態様に従った、プレイヤーズ・ガイド広告主によって提出される広告の承認または不承認を可能にする管理者のスクリーンの例を示した説明図である。
【図４３】本発明の好ましい実施態様に従った、広告主が以前に提出した広告の編集を行うことを可能にする広告主編集スクリーンの例を示した説明図である。
【図１】
2009505240.tif 000003
【図２】
2009505240.tif 000004
【図３】
2009505240.tif 000005
【図４】
2009505240.tif 000006
【図５】
2009505240.tif 000007
【図６】
2009505240.tif 000008
【図７】
2009505240.tif 000009
【図８】
2009505240.tif 000010
【図９】
2009505240.tif 000011
【図９】
2009505240.tif 000012
【図１０】
2009505240.tif 000013
【図１１】
2009505240.tif 000014
【図１１】
2009505240.tif 000015
【図１１】
2009505240.tif 000016
【図１２】
2009505240.tif 000017
【図１２】
2009505240.tif 000018
【図１３】
2009505240.tif 000019
【図１４】
2009505240.tif 000020
【図１５】
2009505240.tif 000021
【図１６】
2009505240.tif 000022
【図１７】
2009505240.tif 000023
【図１８】
2009505240.tif 000024
【図１９】
2009505240.tif 000025
【図２０】
2009505240.tif 000026
【図２１】
2009505240.tif 000027
【図２２】
2009505240.tif 000028
【図２３】
2009505240.tif 000029
【図２４】
2009505240.tif 000030
【図２５】
2009505240.tif 000031
【図２６】
2009505240.tif 000032
【図２７】
2009505240.tif 000033
【図２８】
2009505240.tif 000034
【図２９】
2009505240.tif 000035
【図３０】
2009505240.tif 000036
【図３１】
2009505240.tif 000037
【図３２】
2009505240.tif 000038
【図３３】
2009505240.tif 000039
【図３４】
2009505240.tif 000040
【図３５】
2009505240.tif 000041
【図３６】
2009505240.tif 000042
【図３６】
2009505240.tif 000043
【図３７】
2009505240.tif 000044
【図３７】
2009505240.tif 000045
【図３８】
2009505240.tif 000046
【図３９】
2009505240.tif 000047
【図４０】
2009505240.tif 000048
【図４１】
2009505240.tif 000049
【図４２】
2009505240.tif 000050
【図４３】
2009505240.tif 000051
【手続補正書】
【提出日】平成20年4月15日(2008.4.15)
【手続補正１】
【補正対象書類名】明細書
【補正対象項目名】００５４
【補正方法】変更
【補正の内容】
【００５４】
機能コンポーネントのアフィリエイト３１２は、アフィリエイト・ウェブ・サイトから差し向けられ、その後登録済みユーザ２０２になる来訪者の追跡および計上を好ましく提供する。好ましくはアフィリエイトとなっているウェブ・サイトを運用するビジネス実体が、登録未済ユーザ２０３によって使用されることが可能な引き合わせウェブ・サイト３００に対するリンクを含めることに合意している。好ましくは、アフィリエイト３１２が、登録済みユーザ２０２になった登録未済ユーザ２０３を差し向けた結果として各ビジネス実体に帰する報酬を計算する。
【手続補正２】
【補正対象書類名】図面
【補正対象項目名】図１
【補正方法】変更
【補正の内容】
【図１】
2009505240.tif 000052
【手続補正３】
【補正対象書類名】図面
【補正対象項目名】図４
【補正方法】変更
【補正の内容】
【図４】
2009505240.tif 000053
【国際調査報告】
2009505240.tif 000054